(57)【要約】  解錠位置、施錠位置、本締位置の間で構成可能な部分を備える、回転式の錠シリンダと；第１の位置及び第２の位置を有する連結部材であって、上記部分が上記解錠位置にあるとき、上記連結部材は上記第１の位置にあり、上記部分が上記施錠位置にあるとき、上記連結部材は上記第２の位置にあり、上記部分が上記本締位置にあるとき、上記連結部材は上記第２の位置でロックされる、連結部材とを備える、錠アセンブリであって、上記錠アセンブリは、摺動式ドアのほぞ穴に設置されるように構成され、上記摺動式ドアはラッチ機構を有し、これにより、上記連結部材は上記ラッチ機構と連通する、錠アセンブリ。【選択図】図２
2021518501.tif 000002
【特許請求の範囲】
【請求項１】
錠アセンブリであって、
前記錠アセンブリは：
解錠位置、施錠位置、本締位置の間で構成可能な部分を備える、回転式の錠シリンダ；並びに
第１の位置及び第２の位置を有する連結部材であって、前記部分が前記解錠位置にあるとき、前記連結部材は前記第１の位置にあり、前記部分が前記施錠位置にあるとき、前記連結部材は前記第２の位置にあり、前記部分が前記本締位置にあるとき、前記連結部材は前記第２の位置でロックされる、連結部材
を備え、
前記錠アセンブリは、摺動式ドアのほぞ穴に設置されるように構成され、
前記摺動式ドアはラッチ機構を有し、これにより、前記連結部材は前記ラッチ機構と連通する、錠アセンブリ。
【請求項２】
前記部分は、カム又はテールバーを備える、請求項１に記載の錠アセンブリ。
【請求項３】
前記連結部材は、前記部分と相互作用するよう構成されたフォロワを備える、請求項２に記載の錠アセンブリ。
【請求項４】
本締位置及び自由位置を有するロックアームを更に備え、
前記部分が前記施錠位置にあるとき、前記ロックアームは前記自由位置にあり、前記連結部材は前記第１の位置又は前記第２の位置にあり、
前記部分が前記本締位置にあるとき、前記ロックアームは前記本締位置にあり、これによって前記連結部材を前記第２の位置にロックする、請求項３に記載の錠アセンブリ。
【請求項５】
前記ロックアームは、前記本締位置に向かって付勢され、
前記部分が前記解錠位置又は前記施錠位置にあるとき、前記部分は前記ロックアームを前記自由位置に保持する、請求項４に記載の錠アセンブリ。
【請求項６】
前記ロックアームは突出部を備え、前記フォロワは溝を備え、
前記ロックアームが前記本締位置にあるとき、前記突出部は前記連結部材に係合して、前記連結部材を前記第２の位置でロックし、
前記ロックアームが前記自由位置にあるとき、前記突出部は前記溝と整列して、前記連結部材を、前記第１の位置と前記第２の位置との間で移動できるようにする、請求項５に記載の錠アセンブリ。
【請求項７】
前記錠シリンダの回転は、同一の軸の周りでの前記部分の回転に対応する、請求項２〜６のいずれか１項に記載の錠アセンブリ。
【請求項８】
前記フォロワは１対の指状部を備え、前記部分は、一方又は両方の前記指状部に作用して、前記連結部材を前記第１の位置と前記第２の位置との間で作動させる、請求項２〜７のいずれか１項に記載の錠アセンブリ。
【請求項９】
前記フォロワは、前記部分の前記回転軸を横断する軸に沿って、直線状に移動する、請求項２〜８のいずれか１項に記載の錠アセンブリ。
【請求項１０】
前記連結部材に接続されるよう構成される駆動プレートを更に備え、
前記錠アセンブリを設置するとき、前記駆動プレートは、前記摺動式ドアの掛け金の運動を前記連結部材の運動に変換する、請求項１〜９のいずれか１項に記載の錠アセンブリ。
【請求項１１】
前記連結部材は、前記掛け金の運動によって、前記第１の位置と前記第２の位置との間で移動できる、請求項１０に記載の錠アセンブリ。
【請求項１２】
前記錠シリンダ及び前記部分はそれぞれ、ユーロ規格シリンダ錠の錠シリンダ及びカムである、請求項１〜１１のいずれか１項に記載の錠アセンブリ。
【請求項１３】
前記連結部材及び前記錠シリンダが中に位置決めされる錠本体を更に備え、
前記錠本体は、前記ラッチ機構が中に位置決めされるラッチ本体と噛合するように構成される、請求項１〜１２のいずれか１項に記載の錠アセンブリ。
【請求項１４】
ロック可能なラッチアセンブリであって、
前記ロック可能なラッチアセンブリは：
請求項１〜１２のいずれか１項に記載の錠アセンブリ；及び
ラッチを備えるラッチ機構であって、前記ラッチ機構は、前記ラッチ機構のラッチを伸長させた係留モードと、前記ラッチ機構のラッチを引き込んだ係留解除モードとを有する、ラッチ機構
を備え、
前記錠アセンブリの前記部分が解錠位置にあるとき、前記ラッチ機構は前記係留解除モードであり、前記錠アセンブリの前記部分が施錠位置又は本締位置にあるとき、前記ラッチ機構は前記係留モードである、ロック可能なラッチアセンブリ。
【請求項１５】
前記錠アセンブリ及び前記ラッチ機構が中に配置される本体を更に備える、請求項１４に記載のラッチアセンブリ。
【請求項１６】
前記ラッチ機構が前記摺動式ドアのわき柱に係合していないとき、前記ラッチ機構は前記係留解除モードにロックされる、請求項１４又は１５に記載のラッチアセンブリ。
【請求項１７】
ロック可能なマルチラッチアセンブリであって、
前記ロック可能なマルチラッチアセンブリは：
請求項１〜１２のいずれか１項に記載の錠アセンブリ；及び
前記錠アセンブリと連通する２つ以上のラッチ機構であって、各前記ラッチ機構は１つのラッチを備え、また前記ラッチ機構のラッチを伸長させた係留モードと、前記ラッチ機構のラッチを引き込んだ係留解除モードとを有する、ラッチ機構
を備え、
前記錠アセンブリの前記部分が解錠位置にあるとき、各前記ラッチ機構は前記係留解除モードであり、前記錠アセンブリの前記部分が施錠位置又は本締位置にあるとき、各前記ラッチ機構は前記係留モードである、ロック可能なマルチラッチアセンブリ。
【請求項１８】
前記錠アセンブリ及び各前記ラッチ機構が接続される前端プレートを更に備える、請求項１７に記載のマルチラッチアセンブリ。
【請求項１９】
１つ以上のほぞ穴を有し、
請求項１〜１３のいずれか１項に記載の錠アセンブリ、請求項１４〜１６のいずれか１項に記載のラッチアセンブリ、又は請求項１７若しくは１８に記載のマルチラッチアセンブリが、前記ほぞ穴のうちの１つ以上に設置される、摺動式ドア。
【発明の詳細な説明】
【技術分野】
【０００１】
本発明は、摺動式ドアのほぞ穴に設置するためのアセンブリ、特に摺動式ドアのラッチ機構と共に使用するための彫込錠アセンブリに関する。
【背景技術】
【０００２】
摺動式ドアは多くの場合、ドアを所定の位置に保持するためのラッチ機構を備える。例えばラッチ機構は、ドアを所定の位置に保持するためにドア枠のわき柱の受座内へと延在するラッチを含んでよい。このラッチは選択的に伸長させたり引き込んだりすることができる。
【発明の概要】
【発明が解決しようとする課題】
【０００３】
場合によっては、更なる安全性のために、摺動式ドアにロック機構を更に設けることが望ましい。摺動式ドアに好適な錠機構を設けるための試みは過去に複数行われているが、これらのアプローチは特定の用途には適さない場合がある。
【課題を解決するための手段】
【０００４】
第１の態様では、錠アセンブリが提供され、上記錠アセンブリは：解錠位置、施錠位置、及び本締位置を有する、回転式の錠シリンダと；第１の位置及び第２の位置を有する連結部材であって、上記錠シリンダが上記解錠位置にあるとき、上記連結部材は上記第１の位置にあり、上記錠シリンダが上記施錠位置にあるとき、上記連結部材は上記第２の位置にあり、上記錠シリンダが上記本締位置にあるとき、上記連結部材は上記第２の位置でロックされる、連結部材とを備え、上記錠アセンブリは、摺動式ドアのほぞ穴に設置されるように構成され、上記摺動式ドアはラッチ機構を有し、これにより、上記連結部材は上記ラッチ機構と連通する。
【０００５】
このような彫込錠アセンブリは、摺動式ドア内の本締錠を選択的に使用するための機構を提供する。即ち、シリンダ錠が別個の第１のロック位置及び第２のロック位置を有することにより、摺動式ドアは、本締錠を係合させる必要なしに、シリンダ錠の操作によって摺動式ドアを係留及び係留解除できる。更に、ドアは、ドアが本締状態である場合のモードにおいて、ラッチ機構を介した係留及び係留解除を不可能とすることができるように構成できる。
これにより、ドアの構成可能性が強化され、従って利便性及び安全性が改善される。
【０００６】
上記錠シリンダはカムを備えてよく、上記連結部材は、上記カムと相互作用するように構成されたフォロワを備えてよい。上記錠シリンダの回転は、同一軸の周りでの上記カムの回転に対応していてよい。これにより、上記錠シリンダの回転運動を上記連結部材の直線運動に変換できる便利な方法が提供される。
【０００７】
上記錠アセンブリは更に、本締位置及び自由位置を有するロックアームを備えてよく、上記錠シリンダが上記施錠位置にあるとき、上記ロックアームは上記自由位置にあり、かつ上記連結部材は上記第１の位置又は上記第２の位置にあり、上記錠シリンダが上記本締位置にあるとき、上記ロックアームは上記本締位置にあり、これによって上記連結部材を上記第２の位置にロックする。このようにして、上記ロックアームは、上記シリンダ錠の移動によって係合可能な、便利な本締機能を提供する。
【０００８】
上記ロックアームは、上記本締位置に向かって付勢でき、上記錠シリンダが上記解錠位置又は上記施錠位置にあるとき、上記カムは上記ロックアームを上記自由位置に保持できる。このようにして、上記本締錠は、上記シリンダ錠を適切に回転させたときに自動的に係合される。
【０００９】
いくつかの実施形態では、上記ロックアームは突出部を備え、上記フォロワは溝を備え、上記ロックアームが上記本締位置にあるとき、上記突出部は上記連結部材に係合して、上記連結部材を上記第２の位置でロックし、上記ロックアームが上記自由位置にあるとき、上記突出部は上記溝と整列して、上記連結部材を、上記第１の位置と上記第２の位置との間で移動できるようにする。これにより、上記連結部材を選択的に保持することによって、上記本締錠を係合させるための、信頼性の高い機構が提供される。
【００１０】
上記フォロワは１対の指状部を備えてよく、上記カムは、一方又は両方の上記指状部に作用して、上記連結部材を上記第１の位置と上記第２の位置との間で作動させる。例えば、上記カムは上記指状部の間に静置されていてよく、上記カムは各上記指状部の内面を押す。このようにして、１対の指状部が設けられていることによって、いずれの方向の上記カムの運動が上記フォロワを係合させ、これによって上記連結部材へと伝達される。
【００１１】
上記フォロワは、上記錠シリンダの回転軸を横断する軸に沿って、直線状に移動できる。上記ラッチ機構は、概ね同一の横断方向軸に沿って配向され得るため、上記フォロワの運動を上記ラッチ機構に統合できる。
【００１２】
上記錠アセンブリは更に、上記連結部材に接続されるよう構成された駆動プレートを備えてよく、上記錠アセンブリを設置するとき、上記駆動プレートは、上記摺動式ドアの掛け金の運動を上記連結部材の運動に変換できる。これにより、上記錠アセンブリを、多種多様な掛け金及びラッチ機構と統合できる。というのは、上記ラッチ機構は上記駆動プレートと単純な境界面しか有しなくてよいためである。
【００１３】
上記連結部材は、上記掛け金の運動によって、上記第１の位置と上記第２の位置との間で移動できる。これによりユーザは、掛け金を用いて上記錠シリンダを上記解錠位置と上記施錠位置との間で便利に作動させることができる。
【００１４】
上記錠シリンダは、ユーロ規格シリンダ錠の錠シリンダであってよい。このようなユーロ規格シリンダ錠は、高レベルの安全性を提供するため、上記錠アセンブリ及び上記摺動式ドアの安全性を全体的に向上させる。
【００１５】
上記錠アセンブリは錠本体を更に備えてよく、上記錠本体内には上記連結部材及び上記錠シリンダが位置決めされ、上記錠本体は、中に上記ラッチ機構が位置決めされるラッチ本体と噛合するように構成できる。これにより、上記錠アセンブリの設置時のフットプリントが削減され、これによって上記ほぞ穴内への設置をより容易にすることができ、また既存のラッチ機構を簡単に改造できる。
【００１６】
第２の態様では、ロック可能なラッチアセンブリが提供され、上記ロック可能なラッチアセンブリは：上記第１の態様の錠アセンブリと；ラッチを備えるラッチ機構とを備え、上記ラッチ機構は、上記ラッチ機構のラッチを伸長させた係留モードと、上記ラッチ機構のラッチを引き込んだ係留解除モードとを有し、上記錠アセンブリの上記錠シリンダが上記解錠位置にあるとき、上記ラッチ機構は上記係留解除モードであり、上記錠アセンブリの上記錠シリンダが上記施錠位置又は上記本締位置にあるとき、上記ラッチ機構は上記係留モードである。
【００１７】
このようなロック可能なほぞ穴ラッチアセンブリは、摺動式ドアにラッチ及び選択的に使用可能な本締錠を設けるための便利な機構を提供する。これにより、ドアの構成可能性が強化され、従って利便性及び安全性が改善される。
【００１８】
上記ラッチアセンブリは更に、上記錠アセンブリ及び上記ラッチ機構が中に配置された本体を備えてよい。上記錠アセンブリ及び上記ラッチ機構を単一の本体内で一体に統合することにより、設置が容易になり、また上記ロック可能なラッチアセンブリ全体のフットプリントが削減される。
【００１９】
第３の態様では、ロック可能なマルチラッチアセンブリが提供され、上記ロック可能なマルチラッチアセンブリは：上記第１の態様の錠アセンブリと；上記錠アセンブリと連通する２つ以上のラッチ機構とを備え、各上記ラッチ機構は１つのラッチを備え、また上記ラッチ機構のラッチを伸長させた係留モードと、上記ラッチ機構のラッチを引き込んだ係留解除モードとを有し、上記錠アセンブリの上記錠シリンダが上記解錠位置にあるとき、各上記ラッチ機構は上記係留解除モードであり、上記錠アセンブリの上記錠シリンダが上記施錠位置又は上記本締位置にあるとき、各上記ラッチ機構は上記係留モードである。
【００２０】
このようなロック可能なマルチラッチアセンブリは、複数のラッチが有益となる摺動式ドアに上記第１の態様の錠アセンブリの利点を含めるための便利な方法を提供する。例えば特に背の高い摺動式ドアは、その高さに沿った多数のラッチから利益を得ることができる。
【００２１】
マルチラッチアセンブリは更に、上記錠アセンブリ及び各上記ラッチ機構が接続される前端プレートを備えてよい。これにより、これらの構成部品が、設置が容易な単一のシステムに統合される。更に、上記前端プレートが上記ほぞ穴の外縁部を覆う場合、これは、構成部品が上記摺動式ドアの縁部から容易にアクセスされるのを回避し、安全性を改善する。
【００２２】
第４の態様では、１つ以上のほぞ穴を有する摺動式ドアが提供され、上記ほぞ穴のうちの１つ以上には、上記第１の態様の上記錠アセンブリ、上記第２の態様の上記ラッチアセンブリ、又は上記第３の態様のマルチラッチアセンブリが設置される。例えば、摺動式ドアの特定の構成及び構成部品の所望の位置に応じて、各上記アセンブリの異なる構成部品を異なるほぞ穴に設置してよく、又は全ての構成部品を同一のほぞ穴に設置してよい。
【００２３】
本発明の好ましい実施形態を示す図面を参照して、本発明を例として説明する。しかしながら、これらの実施例は単なる例として提供されており、本発明は図面及び対応する説明の特定の細部に限定されない。
【図面の簡単な説明】
【００２４】
【図１】図１は、本発明のある実施形態による錠アセンブリを含むことができる、例示的な摺動式ドアを示す。
【図２−４】図２、３、４は、錠アセンブリのカムがそれぞれ解錠位置、施錠位置、及び本締位置にある、連通状態の錠アセンブリ‐ラッチアセンブリを示す。
【図５】図５は、部分的に分解された形態の、錠アセンブリの等角図を示す。
【図６−８】図６、７、８は、錠アセンブリのカムがそれぞれ解錠位置、施錠位置、及び本締位置にある、錠アセンブリを示す。
【図９−１１】図９、１０、１１は、錠アセンブリのカムがそれぞれ解錠位置、施錠位置、及び本締位置にある、ロック可能なラッチアセンブリを示す。
【図１２−１４】図１２、１３、１４は、錠アセンブリのカムがそれぞれ解錠位置、施錠位置、及び本締位置にある、連通状態の錠アセンブリ‐ラッチアセンブリ‐ラッチ機構を示す。
【図１５−１７】図１５、１６、１７は、錠アセンブリのカムがそれぞれ解錠位置、施錠位置、及び本締位置にある、ロック可能なマルチラッチアセンブリを示す。
【発明を実施するための形態】
【００２５】
図１は摺動式ドア９０のある例示的実施形態を示し、これは、枠９１、固定ガラスパネル９３、及び摺動式ガラスパネル９２を含む。摺動式ガラスパネル９２は、左側の閉鎖位置から右側の開放位置へと摺動する。閉鎖位置では、摺動式ガラスパネル９２の戸先框９２２は枠９１のわき柱９１２に当接し、錠を係合できる。摺動式ガラスパネル９２の戸尻框９２１と固定ガラスパネルの框とも相互に係合して、密閉状態の閉鎖を提供する。
【００２６】
固定されたハンドル９２５が摺動式ガラスパネル９２の内側に取り付けられ、これによってユーザは、ドアを摺動させて開閉できる。摺動式ガラスパネル９２は、下側レール内のトラック上を走行する又は上側レールから懸架されるホイール又はローラ上に支持されてその上を摺動でき、これによってユーザは最小限の力で摺動式ガラスパネル９２を摺動させることができる。開放位置では、摺動式ガラスパネル９２の戸尻框９２１は、枠９１上の停止部材又は当接部材９１３に当接して、摺動式ガラスパネル９２が枠９１に当たるのを防止する。
【００２７】
錠は、わき柱９１２にボルトで係留された受座９１５、受座９１５に係合する（戸先框９２２内に設置された）ほぞ穴ラッチ９２３、並びにラッチ９２３を作動させる彫込錠シリンダ及び／又は掛け金９２４を含む。ラッチ９２３は２つの突起を含んでよく、これらは反対方向に回転して受座９１５のアパーチャ９１６内に着座することにより、摺動式ガラスパネル９２の水平運動を防止し（即ちドアを施錠し）、また摺動式ガラスパネル９２の垂直運動を防止する（即ち持ち上げ防止機能を提供する）。ユーザはドアの内側から掛け金９２４を回転させて、ラッチを施錠位置又は解錠位置から操作できる。ラッチは、わき柱９１２に対して係合しない限りラッチ９２３が施錠されないようにする、偶発的施錠防止（ａｎｔｉ‐ｓｌａｍ）機構を含んでよい。
【００２８】
シリンダ錠９２６は二重選択構成として構成されていてよい。これにより、適合する鍵が挿入される３つの位置を実現できる。第１の解錠位置は掛け金９２４の解錠位置に対応し、ここでは突起が係合していない。第２の施錠位置では、掛け金９２４は、突起を施錠位置と解錠位置との間で移動させるために依然として操作可能である。第３の本締位置では、突起は受座９１５と係合し、掛け金９２４は無効化されて所定の位置にロックされ、掛け金９２４を用いて突起を施錠位置と解錠位置との間で移動させることはできない。錠は、ドアの内側及び外側にシリンダを含んでよい。
【００２９】
これより上記二重選択構成について、ラッチアセンブリ２０と並んで設置された錠アセンブリ１０を示す図２を参照して、更に詳細に説明する。
【００３０】
錠アセンブリ１０は、シリンダ錠１２、フォロワ１３、及びロックアーム１４を含む。
【００３１】
シリンダ錠１２は、軸の周りで回転可能な錠シリンダ１２１と、鍵穴１２２に好適な鍵を挿入したときに同一の軸の周りで回転可能なカム１２３とを含む。カム１２３は、錠シリンダ１２１とは別個に形成され、好適な締結具で錠シリンダ１２１に接続されていても、又は錠シリンダ１２１と一体として形成されていてもよい。カム１２３は、解錠位置、施錠位置、及び本締位置の間で回転する。
【００３２】
フォロワ１３は、直線軸に沿って、カム１２３を収容するように移動する。フォロワ１３の運動はカム１２３の運動に対応する。カム１２３が解錠位置にあるとき、フォロワ１３は第１の位置にあり、カム１２３が施錠位置にあるとき、フォロワ１３は第２の位置にある。カム１２３が本締位置にあるとき、カム１２３はもはやフォロワ１３内になく、フォロワ１３は第２の位置へとロックされる。
【００３３】
ロックアーム１４は本締位置及び自由位置を有し、本締位置に向かって付勢される。カム１２３が解錠位置又は施錠位置にあるとき、カム１２３はロックアーム１４の表面に当接し、これによってロックアームは自由位置に保持される。カム１２３が本締位置にあるとき、カム１２３はロックアーム１４に接触することなく回転し、これによってロックアーム１４は本締位置へと移動する。ロックアーム１４が本締位置にあるとき、ロックアーム１４はフォロワ１３を第２の位置にロックする。
【００３４】
錠アセンブリ１０は、摺動式ドアの戸先框のほぞ穴に設置される。場合によっては、これは、錠本体１１が比較的平坦なプロファイルであり、摺動式ドアの深さより小さな深さを有することを意味し得る。
【００３５】
ラッチアセンブリ２０は、掛け金２１と、アクチュエータハブ２２と、１対の反対方向に回転可能な突起２４と連通した１対のアクチュエータアーム２３の形態のラッチ機構とを含む。アクチュエータハブ２２及びアクチュエータアーム２３はラッチ本体２５内に位置する。ラッチアセンブリ２０は、突起２４がラッチ本体２５から突出するように伸長している係留モードと、突起２４が引き込まれておりラッチ本体２５から突出しない係留解除モードとを有する。
【００３６】
掛け金は、正方形のプロファイルを有するスピンドル２１２と連通したハンドル２１１を含む。スピンドル２１２はアクチュエータハブ２２のアパーチャに挿入され、従ってスピンドル２１２の回転は、アクチュエータハブ２２の同等の回転を引き起こす。ユーザがハンドル２１１を押して又は引いてハンドル２１１の回転を発生させると、スピンドル２１２は回転し、これによってアクチュエータハブ２２が対応して回転する。
【００３７】
アクチュエータハブ２２は、各アクチュエータアーム２３の歯ざおと噛合するピニオンを有する。アクチュエータハブ２２が回転すると、アクチュエータアーム２３は直線状に移動する。
【００３８】
各突起２４は、ピン２６によってラッチ本体２５に接続され、このピン２６は、突起２４の回転を可能とする突起２４用の枢動点として機能する。各突起は、各アクチュエータアーム２３と相互作用する切り欠き部２４１を備える。
【００３９】
各アクチュエータアーム２３は、スロット２３１と、スロット２３１の各側のノブ２３２とを有する。ノブ２３２は、各突起２４の切り欠き部２４１と係合する。係留解除モードでは、ノブ２３２は切り欠き部２４１の外側に着座して、突起２４をラッチ本体２５内に保持する役割を果たす。ラッチアセンブリが係留解除モードから係留モードに移動すると、ノブ２３２はアクチュエータアーム２３に呼応して移動し、切り欠き部２４１に入って切り欠き部２４１の一端を押す。これにより突起２４はピン２６の周りで回転し、これにより突起２４は、スロット２３１を通過してラッチ本体２５から突出する。ラッチアセンブリ２０が係留モードから係留解除モードに移動すると、ノブ２３２はアクチュエータアーム２３に呼応して移動することにより、ノブ２３２は各突起２４の切り欠き部２４１の他端を押す。これにより突起２４はピン２６の周りで回転し、ラッチ本体２５内に引き込まれる。ラッチアセンブリ２０が係留モードであるとき、各アクチュエータアーム２３は、ノブ２３２が依然として切り欠き部２４１と係合しているものの、切り欠き部２４１の形状によって突起２４がピン２６の周りで回転して錠本体２５の外へと突出したり中へと引き込まれたりするように、位置決めされる。係留モードにあるときは、ノブ２３２と切り欠き部２４１との係合によって突起２４が所定の位置にロックされ、突起２４の突出した端部に負荷を印加しても（即ち突起が錠本体から突き出ているときに突起を錠本体内に戻そうとしても）、突起２４はラッチ本体２５内に引き戻されない（突起はアクチュエータ２３の運動によってのみ、錠本体内に引き戻すことができる）。ノブ２３２と切り欠き部２４１との間の相互作用により、突起２４の端部がスロット２３１を通過してラッチ本体２５から突出するように、突起２４がピン２６の周りで回転する。
【００４０】
掛け金２１の運動は、ラッチアセンブリを、突起２４が伸長した係留モードと突起２４が引き込まれた係留解除モードとの間で移動させる。
【００４１】
駆動プレート３０は、一端がアクチュエータアーム２３に、他端がフォロワ１３に接続される。駆動プレート３０は、アクチュエータアーム２３のうちの一方の（従ってアクチュエータハブ２２、他方のアクチュエータアーム２３、及び掛け金２１の）運動を、フォロワ１３の（従ってカム１２３の）運動に変換する。駆動プレートはアパーチャ３１を備え、ねじの頭がこれを通過できる。これにより駆動プレート３０は、ねじと干渉することなく直線運動で移動できる。いくつかの実施形態では、駆動プレート３０を省略してよく、アクチュエータアーム２３のうちの一方はフォロワ１３を組み込むことができ、従ってカム１２３及びロックアーム１４と直接相互作用できる。このような実施形態では、駆動プレート３０に関する言及は、対応するアクチュエータアーム２３に関する言及として解釈されるものとする。
【００４２】
図２では、カム１２３は解錠位置で示されている。これは、フォロワ１３が第１の位置にあり、ロックアーム１４が自由位置にある状態に対応している。フォロワ１３が第１の位置にあるとき、駆動プレート３０は、ラッチアセンブリが係留解除モードとなるように位置決めされる。即ち、フォロワ１３が第１の位置にあるため、駆動プレート３０は、駆動プレート３０に接続されたアクチュエータアーム２３が係留解除モードに対応する位置となるように位置決めされる。更に、アクチュエータアーム２３及びアクチュエータハブを介した歯ざお‐ピニオン間の連通、各アクチュエータアーム２３のノブ２３２と各突起２４の切り欠き部２４１との間の係合、並びにアクチュエータハブ２２とスピンドル２１２との間の噛合により、他方のアクチュエータアーム２３、１対の突起２４、アクチュエータハブ２２、及び掛け金２１も同様に、係留解除モードに対応する位置となる。
【００４３】
図３は、図２の錠アセンブリ１０及びラッチアセンブリ２０を示し、ここではカム１２３が施錠位置にある。これは、フォロワ１３が第２の位置にあり、ロックアーム１４が自由位置にある状態に対応している。フォロワ１３が第２の位置にあるとき、駆動プレート３０は、ラッチアセンブリが係留モードとなるように位置決めされる。即ち、フォロワ１３が第２の位置にあるため、駆動プレート３０は、駆動プレート３０に接続されたアクチュエータアーム２３が係留モードに対応する位置となるように位置決めされる。アクチュエータアーム２３及びアクチュエータハブを介した歯ざお‐ピニオン間の連通、並びにアクチュエータハブ２２とスピンドル２１２との間の噛合により、他方のアクチュエータアーム２３、アクチュエータハブ２２、及び掛け金２１も同様に、係留モードに対応する位置となる。
【００４４】
係留モードと係留解除モードとの間の移動は、ユーザが掛け金２１を作動させることによって発生させることができる。これにより、アクチュエータハブ２２、アクチュエータアーム２３、駆動プレート３０、フォロワ１３、及びカム１２３の対応する移動が引き起こされる。更に、係留モードと係留解除モードとの間の移動は、ユーザが、鍵穴１２２に挿入された好適な鍵を回転させることによって発生させることができる。これにより、カム１２３、フォロワ１３、駆動プレート３０、アクチュエータアーム２３、アクチュエータハブ２２、及び掛け金２１の対応する移動が引き起こされる。このようにして、シリンダ錠１２及び掛け金２１それぞれを用いて、ラッチアセンブリを係留モードと係留解除モードとの間で移動させることができる。
【００４５】
図４は、図２の錠アセンブリ１０及びラッチアセンブリ２０を示し、ここではカム１２３は本締位置にある。これは、フォロワ１３を第２の位置にロックするために、ロックアーム１４が本締位置にある状態に対応している。カム１２３が本締位置にあるとき、ラッチアセンブリは図３に示したものと同様に係留モードとなる。
【００４６】
使用時、ロックアーム１４の突出部１４４がフォロワ１３の肩部１３５と整列するように位置決めされているため、掛け金２１を移動させようとする試行は有意な抵抗を受ける。即ち、掛け金２１を移動させようとする試行は、アクチュエータハブ２２、アクチュエータアーム２３、及び駆動プレート３０を介して、フォロワ１３を移動させようとする試行につながり、これはフォロワ１３の肩部１３５をロックアーム１４の突出部１４４に当接させる。このようにして、カム１２３が本締位置にあるとき、ラッチ機構は係留モードへとロックされる。
【００４７】
図５は、図２〜４に示されているような錠アセンブリ１０を更に詳細に示す。図示されている錠アセンブリ１０は、錠本体１１、シリンダ錠１２、フォロワ１３、及びロックアーム１４を含む。
【００４８】
シリンダ錠１２は、鍵穴１２２に好適な鍵を挿入したときに軸の周りで回転可能な、錠シリンダ１２１を含む。カム１２３は同一の軸の周りで回転する。カム１２３は、錠シリンダ１２１とは別個に形成され、好適な締結具で錠シリンダ１２１に接続されていても、又は錠シリンダ１２１と一体として形成されていてもよい。シリンダ錠１２を所定の位置に締結できるよう、ねじ穴１２４が設けられる。
【００４９】
図示されている実施形態では、シリンダ錠１２は、摺動式ドアの片側からアクセスできる単一のバレル、又は摺動式ドアの各側からアクセスできる１対の対向するバレルを含む、ユーロ規格シリンダ錠であってよい。鍵穴は各バレルの端部に設けられ、これによって鍵を用いて錠シリンダをドアの両側から回転させることができる。シリンダ錠１２はカム１２３内に「フロート（ｆｌｏａｔ）」を有してよく、これにより、カム１２３は時には錠シリンダ１２１に対して独立して移動できる。これにより、カム１２３は、錠シリンダ１２１が移動しないままで、複数の位置の間（例えば解錠位置と施錠位置との間）で移動できる。しかしながら、代替実施形態では、カム１２３及び錠シリンダ１２１を互いに対して固定でき、従って一方の運動が他方の同等の運動を引き起こす。場合によっては、シリンダ錠は、カムタイプの、又はカム１２３の代わりにテールバーを使用できるテールバータイプの、ピンシリンダであってよい。
【００５０】
カム１２３は、解錠位置、施錠位置、及び本締位置の間で回転する。図示されている実施形態では、解錠位置及び施錠位置は、本締位置からそれぞれ約１２０°及び約６０°の回転に対応する。
【００５１】
錠本体１１は、孔１１３、１１４を通るねじ又はリベットによって一体に締結された前側本体部分１１１及び後側本体部分１１２を含む。後側本体部分１１２の一端は、錠本体１１をラッチ本体等の別の構成部品と噛合させることができるよう、全体として凹状の半円筒部分１１２２を有する。後側本体部分１１２の他端は、全体として凸状の半円筒部分１１２３を有する。これは、スロット状プロファイルのほぞ穴を可能にするため、錠アセンブリ１０の設置を補助できる。
【００５２】
ロック用アパーチャ１１５が前側本体部分１１１及び後側本体部分１１２に形成され、これにより、シリンダ錠１２の一部分を錠本体１１内に着座させることができる。後側本体部分１１２は、本体１１内へと伸長してロックアーム１４に接続されるピン１１２１を有する。ばね１５を受承するためのばね用チャネル１１６が錠本体１１内に形成され、これは、ばね１５の一端を圧迫できる壁１１６１と、ばねを概ね所定の位置に保持するための一連の架台１１６２とを含む。前側本体部分１１１と後側本体部分１１２とを接続すると、ねじを受承するためのねじ経路１１７が錠本体１１に形成される。シリンダ錠１２を設置する際、ねじ経路１１７がねじ孔１２４と整列することによって、シリンダ錠１２を錠本体１１に締結できる。更に、フォロワ１３のために、フォロワ用アパーチャ１１８が前側本体部分１１１及び後側本体部分１１２によって形成される。
【００５３】
錠アセンブリ１０は、カム１２３を収容する凹部１３２を画定する１対の指状部１３１を有するフォロワ１３の形態の、連結部材を有する。凹部１３２は、全体として丸みを帯びた長方形状の断面を有してよい。凹部は、カム１２３を様々な角度において収容するため、及びカム１２３が第２の施錠位置へと移動する際にカム１２３の係合を解除するために、カム１２３の幅の約１．５倍〜約２．０倍の幅（第１の位置と第２の位置との間のフォロワ１３の移動の軸に沿った寸法）を有することができる。更に凹部は、カム１２３の高さの約１．５倍〜約２倍の深さ（幅の軸に対して垂直な軸に沿った寸法）を有してよい。
【００５４】
フォロワ１３は、前側本体部分１１１の内面上の突出部に係合する第１の溝１３３を有する。これにより、フォロワ１３の運動は、フォロワ用アパーチャ１１８の長さに沿った直線軸内に維持される。また、フォロワ１３の面１３７がアパーチャ１１８の周囲の縁部に当接して、フォロワ１３を軸に沿って更に整列させる。この直線軸は、カム１２３の回転軸を横断する。フォロワ用アパーチャ１１８の各端部には当接部材１１９が存在し、従ってフォロワ１３は一般に、第１の位置又は第２の位置を超えて進むことができない。
【００５５】
フォロワ１３は、第２の溝１３４と、上記溝の片側の、ロックアーム１４と相互作用するための肩部１３５と、フォロワ１３をラッチアセンブリ等の別のアセンブリと相互作用させるための突出部１３６とを有する。
【００５６】
錠アセンブリ１０はロックアーム１４を含む。ロックアーム１４は、ピン１１２１と噛合するように設計されたアパーチャ１４１を有し、これによってロックアーム１４に枢動点を提供する。ロックアーム１４は本締位置及び自由位置を有し、これらは枢動点の周りでの異なる回転角度に対応する。ばね１５はロックアームのピン１４２に接続される。ばね１５は張力下にあり、壁１１６１を押圧して、ロックアームを、ピン１４２の周りで本締位置へと回転するように付勢する。
【００５７】
ロックアーム１４はカムガイド１４３を有し、カム１２３は、カム１２３が回転するに従って、これに沿って摺動できる。カムガイド１４３は、施錠位置と解錠位置との間のカム１２３の位置に対応する弓状部分１４３１と、カム１２３が解錠位置にあるときのカム１２３の位置に対応する平坦部分１４３２と、カム１２３を解錠位置を超えて更に時計回りに回転させようとした場合にカム１２３が当接する保護部材（ｂｏｏｔ）１４３３とを有する。このようにして、いくつかの実施形態では、ロックアーム１４はカム１２３の一方向への過剰な回転を防止できる。
【００５８】
ロックアーム１４はまた、概ねＬ字型の突出部１４４を含み、これは第１の部分１４４１及び第２の部分１４４２を有する。ロックアーム１４が自由位置にあるとき、ロックアーム１４は、第１の部分１４４１及び第２の部分１４４２のうちの一方又は両方が第２の溝１３４内に着座するように整列される。更に、第１の部分１４４１は、第２の溝１３４の一方の面に当接することで、ロックアーム１４がカム１２３から離れるように移動するのを防止できる。これにより、カム１２３は回転中に多少の抵抗を有することができる。ロックアーム１４が本締位置にあり、従ってフォロワ１３が第２の位置にあるとき、フォロワ１３の肩部１３５は突出部１４４の第２の部分１４４２に当接してよい。これにより、第１の位置に向かうフォロワ１３の移動を防止できる。
【００５９】
突出部１４４を収容するために、第２の溝１３４は、第２の部分１４４２と少なくとも同等の幅、好ましくは少なくとも５ｍｍ大きい幅を有してよく、これにより、ロックアーム１４が自由位置にあるときに、突出部１４４は第２の溝１３４に沿って阻害されることなく移動できる。
【００６０】
錠アセンブリ１０は、摺動式ドアの戸先框のほぞ穴に設置される。これは、錠本体１１が比較的平坦なプロファイルを有し、摺動式ドアの深さより小さな深さを有することを意味し得る。
【００６１】
図６は、カム１２３が解錠位置にあり、フォロワ１３が第１の位置にあり、ロックアーム１４が自由位置にあるときの、錠アセンブリ１０を示す。シリンダ錠１２のカム１２３は、ロックアーム１４のカムガイド１４３と係合する。これはばね１５の付勢に抵抗し、従ってロックアーム１４は自由位置のままとなる。ロックアーム１４が自由位置にあるため、ロックアーム１４の突出部１４４はフォロワ１３の第２の溝１３４と整列し、これによりフォロワ１３は、ロックアーム１４に干渉されることなく、第１の位置と第２の位置との間で自由に移動できる。
【００６２】
図７は、カム１２３が施錠位置にあるときの錠アセンブリ１０を示す。解錠位置から施錠位置へのカム１２３の移動は、ユーザが鍵穴１２２内の好適な鍵を回転させて、錠シリンダ１２１に反時計回り方向の回転力を印加することによって発生させることができる。この場合、錠シリンダ１２１の回転は結果として、カム１２３の回転をもたらす。指状部１３１内のカム１２３の位置により、フォロワ１３は第２の位置へと付勢される。あるいは、解錠位置から施錠位置への移動は、フォロワ１３に印加される力によって発生させることができる。例えばこれは、フォロワ１３の突出部１３６に接続された駆動プレートを介してフォロワ１３と連通している掛け金をユーザが作動させるのに応答して、発生し得る。この場合、フォロワ１３の直線運動によって、指状部１３１はカム１２３を、施錠位置へと回転するように付勢する。
【００６３】
いずれの場合においても、カム１２３はロックアーム１４のカムガイド１４３に沿って摺動する。従ってカム１２３は、ロックアーム１４に対するばね１５の付勢に抵抗し、従ってロックアーム１４は自由位置のままとなる。ロックアーム１４が自由位置にあるため、ロックアーム１４の突出部１４４はフォロワ１３の第２の溝１３４と整列し、これによりフォロワ１３は、ロックアーム１４に干渉されることなく、第１の位置と第２の位置との間で自由に移動できる。
【００６４】
施錠位置から解錠位置への移動も同様の方法で発生させることができる。即ちこれは、ユーザが鍵穴１２２内の好適な鍵を回転させて、錠シリンダ１２１に時計回り方向の回転力を印加することによって発生させることができる。これは結果として、カム１２３の回転を発生させる。カム１２３は指状部１３１と係合して、カムの回転運動を、第２の位置から第１の位置へのフォロワ１３の直線運動に変換する。あるいはこの移動は、フォロワ１３に直線状の力を印加することによって発生させることができる。指状部１３１はカム１２３と係合して、施錠位置から解錠位置へと回転移動させる。
【００６５】
図８は、カム１２３が本締位置にあるときの錠アセンブリ１０を示す。施錠位置から本締位置への移動は、ユーザが鍵穴１２２内の好適な鍵を回転させて、錠シリンダ１２１に反時計回り方向の回転力を印加することによって発生させることができる。錠シリンダ１２１の回転は結果として、カム１２３の回転をもたらし、これによりカム１２３はシリンダ錠１２から突出しなくなる。その結果、カム１２３はフォロワ１３の指状部１３１内に着座せず、ロックアーム１４のカムガイド１４３と接触しなくなる。これにより、ばね１５の付勢はカム１２３による抵抗を受ける。従ってロックアーム１４はピン１１２１の周りで回転して、本締位置へと移動する。
【００６６】
ロックアーム１４が本締位置にあるとき、ロックアームの突出部１４４は、フォロワ１３の肩部１３５と整列される。従ってフォロワ１３は第２の位置にロックされ、フォロワ１３が第１の位置へと移動しようとすることによって、フォロワ１３の肩部１３５はロックアーム１４の突出部１４４に当接し、従って第１の位置へのフォロワ１３の移動に対してかなりの抵抗が発生する。
【００６７】
本締位置から施錠位置への錠シリンダ１２１の移動は、ユーザが鍵穴１２２内の好適な鍵を回転させて、錠シリンダ１２１に時計回り方向の回転力を印加することによって発生させることができる。その結果、カム１２３の回転が発生し、カム１２３はロックアーム１４のカムガイド１４３に接触する。これによってロックアーム１４は自由位置へと動かされ、ロックアームの突出部１４４はフォロワの第２の溝１３４と整列する。更に、カム１２３の回転により、カム１２３は、フォロワ１３の指状部１３１によって形成された凹部１３２に再び入り、カム１２３とフォロワ１３とを連通させる。
【００６８】
図９は、ロック可能なラッチアセンブリ４０のある実施形態を示し、これは、図６〜８に示されているような錠アセンブリ１０及びラッチアセンブリ２０を含む。錠アセンブリ１０は、錠本体１１が設置された状態で示されており、ラッチアセンブリは、ラッチ本体２５が設置された状態で示されている。シリンダ錠１２及び掛け金２１はそれぞれ、錠本体１１及びラッチ本体２５が設置されているときにアクセス可能なままである。
【００６９】
錠本体１１は、ラッチ本体２５と噛合するように成形される。例えば錠本体１１の上部の形状は、ラッチ本体２５の概ね凹状の底部に着座するよう、概ね凸状である。
【００７０】
前端プレート４１は、ねじ４１１によって、錠アセンブリ１０及びラッチアセンブリ２０の片側に接続される。更に前端プレートはアパーチャ４１２を有し、これは、ラッチアセンブリが係留モードであるときに、突起２４がアパーチャ４１２を通って突出できるように、スロット２３１と整列されている。前端プレート４１により、前端プレート４１が設置されているときでも駆動プレート３０の移動が可能となる。例えば前端プレート７１は、駆動プレート３０を収容するための凹部を含んでよい。
【００７１】
ロック可能なラッチアセンブリ４０は、摺動式ドアの戸先框のほぞ穴内に、錠本体１１及びラッチ本体２５が全体としてほぞ穴内に位置決めされるように設置される。この目的のために、錠本体１１、ラッチ本体２５、及び前端プレート４１の深さのプロファイルは比較的スリムであり、摺動式ドアの深さより浅い。前端プレートにはねじ孔４１３が設けられ、これを通してねじを用いて、ロック可能なラッチアセンブリ４０を摺動式ドアに締結できる。更に、ロック用アパーチャ１１５及びアクチュエータハブ２２は、摺動式ドアの対応するアパーチャと整列するように位置決めされる。これにより、シリンダ錠１２及び掛け金２１は、摺動式ドアの一方の側部からアクセス可能となる。
【００７２】
図１０及び１１は、ロック可能なラッチアセンブリ４０を示し、ここではラッチアセンブリ２０は係留モードであり、カム１２３はそれぞれ施錠位置及び本締位置にある。この目的のために、突起２４は、伸長して、前端プレート４１のアパーチャ４１２を通って突出した状態で示されている。使用時、伸長した突起はドア枠のわき柱の受座に係合して、ラッチアセンブリが係留解除モードへと移動するまで、摺動式ドアを所定の位置に保持できる。
【００７３】
図１２は、図６〜１１に示されているような錠アセンブリ１０及びラッチアセンブリ２０を、二次ラッチ構造５０と連通した状態で示す。
【００７４】
二次ラッチ機構５０は、アクチュエータアーム５１及び突起５２を含む。二次ラッチ機構５０は、突起５２がラッチ本体５３から突出するように伸長した係留モードと、突起５２が引き込まれてラッチ本体５３から突出しない係留解除モードとを有する。
【００７５】
突起５２はピン５４によってラッチ本体５３に接続され、このピン５４は、突起５２の回転を可能とする突起５２用の枢動点として機能する。突起は、アクチュエータアーム５１と相互作用する切り欠き部５２１を備える。
【００７６】
アクチュエータアーム５１は、スロット５１１と、スロット５１１の各側のノブ５１２とを有する。ノブ５１２は、突起５２の切り欠き部５２１と係合する。係留解除モードでは、ノブ５１２は切り欠き部５２１に係合して、突起５２をラッチ本体５０３内に保持する役割を果たす。二次ラッチ機構が係留解除モードから係留モードに移動すると、ノブ５１２はアクチュエータアーム５１に呼応して移動し、切り欠き部５２１内で移動して切り欠き部５２１の一端を押す。これにより突起５２はピン５４の周りで回転し、これにより突起５２は、スロット５１１を通過してラッチ本体５０３から突出する。
【００７７】
駆動バー６０は、ラッチアセンブリのアクチュエータアーム２３、錠機構のフォロワ１３、及び二次ラッチ機構のアクチュエータアーム５１に接続される。駆動バー６０は、ラッチアセンブリのアクチュエータアーム２３、錠アセンブリ１０のフォロワ１３、及び二次ラッチ機構５０のアクチュエータアーム５１の運動を変換する。これにより、ラッチアセンブリ２０が係留モード又は係留解除モードであるとき、二次ラッチ機構５０は対応する係留モード又は係留解除モードとなる。
【００７８】
ラッチアセンブリ２０の他のアクチュエータアーム２３を別の二次ラッチ機構５０に接続するために、更なる駆動バー６１を設けてよい。これにより、同時に係留モード又は係留解除モードとなる複数の二次ラッチ機構を設けることができる。
【００７９】
場合によっては、駆動バー６０、６１は、錠アセンブリ１０、ラッチアセンブリ２０、及び二次ラッチ機構５０の異なる面に沿って移動してよい。例えばこれらは、背面（即ちほぞ穴内の最も遠い端部）に沿って移動してよい。更に、駆動バー６０、６１はチューブ等であってよい。
【００８０】
図１２では、錠アセンブリ１０のカム１２３は解錠位置にある。駆動バー６０を部分的な要因として、これは、ラッチアセンブリ２０が係留解除モードであり、かつ二次ラッチ機構５０が係留解除モードである状態に対応する。
【００８１】
図１３は、カム１２３が施錠位置にある状態の図１２の構成を示す。駆動バー６０を部分的な要因として、これは、ラッチアセンブリ２０が、突起２４が伸長している係留モードであり、かつ二次ラッチ機構５０が、突起５２が伸長している係留モードである状態に対応する。
【００８２】
図１４は、カム１２３が本締位置にある状態の図１２の構成を示す。これは、ラッチアセンブリ２０が、突起２４が伸長している係留モードであり、かつ二次ラッチ機構５０が、突起５２が伸長している係留モードである状態に対応する。更に、ロックアームの突出部１４４がフォロワ１３の肩部１３５と整列するように位置決めされているため、フォロワ１３は所定の位置にロックされる。その結果、ラッチアセンブリのアクチュエータアーム２３及び二次ラッチ機構のアクチュエータアーム５１は係留モードへとロックされる。
【００８３】
図１５は、ロック可能なマルチラッチアセンブリ７０のある実施形態を示し、これは、図１２〜１４に示されているもののような錠アセンブリ１０、ラッチアセンブリ２０、二次ラッチ機構５０、及び駆動バー６０を含む。
【００８４】
前端プレート７１は、ねじ７１１によって、錠アセンブリ１０、ラッチアセンブリ２０、及び二次ラッチ機構５０の一方の側部に接続される。更に前端プレートは、スロット２３１と整列したアパーチャ７１２を含み、これにより、ラッチアセンブリが係留モードであるときに突起２４がアパーチャ７１２を通って突出できる。
【００８５】
前端プレート７１により、前端プレート７１が設置されているときでも駆動バー６０の移動が可能となる。例えば前端プレート７１は、駆動バー６０を収容するための凹部を含んでよい。
【００８６】
ロック可能なマルチラッチアセンブリ７０は、摺動式ドアの戸先框の少なくとも１つのほぞ穴に設置される。例えば単一のほぞ穴を設けることができ、錠本体１１、ラッチアセンブリのラッチ本体２５、及び二次ラッチ機構のラッチ本体が全て、上記ほぞ穴内に位置決めされる。あるいは複数のほぞ穴を設けることもでき、第１のほぞ穴は錠本体１１及びラッチアセンブリのラッチ本体２５を収容してよく、第２のほぞ穴は、二次ラッチ機構のラッチ本体を収容できる。いずれの場合においても、錠本体１１、ラッチ本体２５、二次ラッチ機構のラッチ本体、及び前端プレート７１の深さのプロファイルは比較的スリムであり、摺動式ドアの深さより浅い。前端プレート７１にはねじ孔７１３が設けられ、これを通してねじを用いて、ロック可能なマルチラッチアセンブリ７０を摺動式ドアに締結できる。更に、ロック用アパーチャ１１５及びアクチュエータハブ２２は、摺動式ドアの対応するアパーチャと整列するように位置決めされる。これにより、シリンダ錠１２及び掛け金２１は、摺動式ドアの一方の側部からアクセス可能となる。
【００８７】
図１６は、カム１２３が施錠位置にある状態の図１５の構成を示す。駆動バー６０を部分的な要因として、これは、ラッチアセンブリ２０が、突起２４が伸長している係留モードであり、かつ二次ラッチ機構５０が、突起５２が伸長している係留モードである状態に対応する。
【００８８】
図１７は、カム１２３が本締位置にある状態の図１５の構成を示す。これは、ラッチアセンブリ２０が、突起２４が伸長している係留モードであり、かつ二次ラッチ機構５０が、突起５２が伸長している係留モードである状態に対応する。更に、ロックアームの突出部１４４がフォロワ１３の肩部１３５と整列するように位置決めされているため、フォロワ１３は所定の位置にロックされる。その結果、ラッチアセンブリのアクチュエータアーム２３及び二次ラッチ機構のアクチュエータアーム５１は係留モードへとロックされる。
【００８９】
用語「…を備える（ｃｏｍｐｒｉｓｅ）」及びその変形は包括的な意味で使用されており、即ち、当該文脈においてこの用語の排他的解釈が要求されている場合を除いて、言及されている対象物を含むものの、他のものを排除しないものとして使用されている。
【００９０】
上述の実施形態は単なる例示であり、本発明の精神及び範囲から逸脱することなく、修正及び変更が可能であることは明らかであろう。
【図１】
2021518501.tif 000003
【図２】
2021518501.tif 000004
【図３】
2021518501.tif 000005
【図４】
2021518501.tif 000006
【図５】
2021518501.tif 000007
【図６】
2021518501.tif 000008
【図７】
2021518501.tif 000009
【図８】
2021518501.tif 000010
【図９】
2021518501.tif 000011
【図１０】
2021518501.tif 000012
【図１１】
2021518501.tif 000013
【図１２】
2021518501.tif 000014
【図１３】
2021518501.tif 000015
【図１４】
2021518501.tif 000016
【図１５】
2021518501.tif 000017
【図１６】
2021518501.tif 000018
【図１７】
2021518501.tif 000019
【手続補正書】
【提出日】平成30年12月13日(2018.12.13)
【手続補正１】
【補正対象書類名】明細書
【補正対象項目名】全文
【補正方法】変更
【補正の内容】
【発明の詳細な説明】
【技術分野】
【０００１】
本発明は、摺動式ドアのほぞ穴に設置するためのアセンブリ、特に摺動式ドアのラッチ機構と共に使用するための彫込錠アセンブリに関する。
【背景技術】
【０００２】
摺動式ドアは多くの場合、ドアを所定の位置に保持するためのラッチ機構を備える。例えばラッチ機構は、ドアを所定の位置に保持するためにドア枠のわき柱の受座内へと延在するラッチを含んでよい。このラッチは選択的に伸長させたり引き込んだりすることができる。
【発明の概要】
【発明が解決しようとする課題】
【０００３】
場合によっては、更なる安全性のために、摺動式ドアにロック機構を更に設けることが望ましい。摺動式ドアに好適な錠機構を設けるための試みは過去に複数行われているが、これらのアプローチは特定の用途には適さない場合がある。
【課題を解決するための手段】
【０００４】
第１の態様では、錠アセンブリが提供され、上記錠アセンブリは：錠本体と；上記錠本体内で移動可能であり、解錠位置、施錠位置、本締位置の間で構成可能な部分を備える、回転式の錠シリンダと；第１の位置及び第２の位置を有する連結部材であって、上記部分が上記解錠位置にあるとき、上記連結部材は上記第１の位置にあり、上記部分が上記施錠位置にあるとき、上記連結部材は上記第２の位置にあり、上記部分が上記本締位置にあるとき、上記連結部材は上記第２の位置でロックされる、連結部材とを備え、上記錠アセンブリは、摺動式ドアのほぞ穴に設置されるように構成され、上記摺動式ドアは、上記錠本体とは別個のラッチ本体内にラッチ機構を有し、これにより、上記連結部材は駆動プレート、駆動バー又はアクチュエータアームを介して上記ラッチ機構と連通し、上記駆動プレート、上記駆動バー又は上記アクチュエータアームは、上記連結部材に接続されるよう構成され、かつ上記錠本体及び上記ラッチ本体の外側に位置決めされる。
【０００５】
このような彫込錠アセンブリは、摺動式ドア内の本締錠を選択的に使用するための機構を提供する。即ち、シリンダ錠が別個の第１のロック位置及び第２のロック位置を有することにより、摺動式ドアは、本締錠を係合させる必要なしに、シリンダ錠の操作によって摺動式ドアを係留及び係留解除できる。更に、ドアは、ドアが本締状態である場合のモードにおいて、ラッチ機構を介した係留及び係留解除を不可能とすることができるように構成できる。これにより、ドアの構成可能性が強化され、従って利便性及び安全性が改善される。
【０００６】
上記錠シリンダはカムを備えてよく、上記連結部材は、上記カムと相互作用するように構成されたフォロワを備えてよい。上記錠シリンダの回転は、同一軸の周りでの上記カムの回転に対応していてよい。これにより、上記錠シリンダの回転運動を上記連結部材の直線運動に変換できる便利な方法が提供される。
【０００７】
上記錠アセンブリは更に、本締位置及び自由位置を有するロックアームを備えてよく、上記錠シリンダが上記施錠位置にあるとき、上記ロックアームは上記自由位置にあり、かつ上記連結部材は上記第１の位置又は上記第２の位置にあり、上記錠シリンダが上記本締位置にあるとき、上記ロックアームは上記本締位置にあり、これによって上記連結部材を上記第２の位置にロックする。このようにして、上記ロックアームは、上記シリンダ錠の移動によって係合可能な、便利な本締機能を提供する。
【０００８】
上記ロックアームは、上記本締位置に向かって付勢でき、上記錠シリンダが上記解錠位置又は上記施錠位置にあるとき、上記カムは上記ロックアームを上記自由位置に保持できる。このようにして、上記本締錠は、上記シリンダ錠を適切に回転させたときに自動的に係合される。
【０００９】
いくつかの実施形態では、上記ロックアームは突出部を備え、上記フォロワは溝を備え、上記ロックアームが上記本締位置にあるとき、上記突出部は上記連結部材に係合して、上記連結部材を上記第２の位置でロックし、上記ロックアームが上記自由位置にあるとき、上記突出部は上記溝と整列して、上記連結部材を、上記第１の位置と上記第２の位置との間で移動できるようにする。これにより、上記連結部材を選択的に保持することによって、上記本締錠を係合させるための、信頼性の高い機構が提供される。
【００１０】
上記フォロワは１対の指状部を備えてよく、上記カムは、一方又は両方の上記指状部に作用して、上記連結部材を上記第１の位置と上記第２の位置との間で作動させる。例えば、上記カムは上記指状部の間に静置されていてよく、上記カムは各上記指状部の内面を押す。このようにして、１対の指状部が設けられていることによって、いずれの方向の上記カムの運動が上記フォロワを係合させ、これによって上記連結部材へと伝達される。
【００１１】
上記フォロワは、上記錠シリンダの回転軸を横断する軸に沿って、直線状に移動できる。上記ラッチ機構は、概ね同一の横断方向軸に沿って配向され得るため、上記フォロワの運動を上記ラッチ機構に統合できる。
【００１２】
上記錠アセンブリを設置するとき、上記駆動プレート、駆動バー又はアクチュエータアームは、上記摺動式ドアの掛け金の運動を上記連結部材の運動に変換できる。これにより、上記錠アセンブリを、多種多様な掛け金及びラッチ機構と統合できる。というのは、上記ラッチ機構は上記駆動プレートと単純な境界面しか有しなくてよいためである。
【００１３】
上記連結部材は、上記掛け金の運動によって、上記第１の位置と上記第２の位置との間で移動できる。これによりユーザは、掛け金を用いて上記錠シリンダを上記解錠位置と上記施錠位置との間で便利に作動させることができる。
【００１４】
上記錠シリンダは、ユーロ規格シリンダ錠の錠シリンダであってよい。このようなユーロ規格シリンダ錠は、高レベルの安全性を提供するため、上記錠アセンブリ及び上記摺動式ドアの安全性を全体的に向上させる。
【００１５】
上記錠本体は、上記ラッチ本体と噛合するように構成できる。これにより、上記錠アセンブリの設置時のフットプリントが削減され、これによって上記ほぞ穴内への設置をより容易にすることができ、また既存のラッチ機構を簡単に改造できる。
【００１６】
第２の態様では、ロック可能なラッチアセンブリが提供され、上記ロック可能なラッチアセンブリは：上記第１の態様の錠アセンブリと；ラッチを備えるラッチ機構とを備え、上記ラッチ機構は、上記ラッチ機構のラッチを伸長させた係留モードと、上記ラッチ機構のラッチを引き込んだ係留解除モードとを有し、上記錠アセンブリの上記錠シリンダが上記解錠位置にあるとき、上記ラッチ機構は上記係留解除モードであり、上記錠アセンブリの上記錠シリンダが上記施錠位置又は上記本締位置にあるとき、上記ラッチ機構は上記係留モードである。
【００１７】
このようなロック可能なほぞ穴ラッチアセンブリは、摺動式ドアにラッチ及び選択的に使用可能な本締錠を設けるための便利な機構を提供する。これにより、ドアの構成可能性が強化され、従って利便性及び安全性が改善される。
【００１８】
第３の態様では、ロック可能なマルチラッチアセンブリが提供され、上記ロック可能なマルチラッチアセンブリは：上記第１の態様の錠アセンブリと；上記錠アセンブリと連通する２つ以上のラッチ機構とを備え、各上記ラッチ機構は１つのラッチを備え、また上記ラッチ機構のラッチを伸長させた係留モードと、上記ラッチ機構のラッチを引き込んだ係留解除モードとを有し、上記錠アセンブリの上記錠シリンダが上記解錠位置にあるとき、各上記ラッチ機構は上記係留解除モードであり、上記錠アセンブリの上記錠シリンダが上記施錠位置又は上記本締位置にあるとき、各上記ラッチ機構は上記係留モードである。
【００１９】
このようなロック可能なマルチラッチアセンブリは、複数のラッチが有益となる摺動式ドアに上記第１の態様の錠アセンブリの利点を含めるための便利な方法を提供する。例えば特に背の高い摺動式ドアは、その高さに沿った多数のラッチから利益を得ることができる。
【００２０】
マルチラッチアセンブリは更に、上記錠アセンブリ及び各上記ラッチ機構が接続される前端プレートを備えてよい。これにより、これらの構成部品が、設置が容易な単一のシステムに統合される。更に、上記前端プレートが上記ほぞ穴の外縁部を覆う場合、これは、構成部品が上記摺動式ドアの縁部から容易にアクセスされるのを回避し、安全性を改善する。
【００２１】
第４の態様では、１つ以上のほぞ穴を有する摺動式ドアが提供され、上記ほぞ穴のうちの１つ以上には、上記第１の態様の上記錠アセンブリ、上記第２の態様の上記ラッチアセンブリ、又は上記第３の態様のマルチラッチアセンブリが設置される。例えば、摺動式ドアの特定の構成及び構成部品の所望の位置に応じて、各上記アセンブリの異なる構成部品を異なるほぞ穴に設置してよく、又は全ての構成部品を同一のほぞ穴に設置してよい。
【００２２】
本発明の好ましい実施形態を示す図面を参照して、本発明を例として説明する。しかしながら、これらの実施例は単なる例として提供されており、本発明は図面及び対応する説明の特定の細部に限定されない。
【図面の簡単な説明】
【００２３】
【図１】図１は、本発明のある実施形態による錠アセンブリを含むことができる、例示的な摺動式ドアを示す。
【図２−４】図２、３、４は、錠アセンブリのカムがそれぞれ解錠位置、施錠位置、及び本締位置にある、連通状態の錠アセンブリ‐ラッチアセンブリを示す。
【図５】図５は、部分的に分解された形態の、錠アセンブリの等角図を示す。
【図６−８】図６、７、８は、錠アセンブリのカムがそれぞれ解錠位置、施錠位置、及び本締位置にある、錠アセンブリを示す。
【図９−１１】図９、１０、１１は、錠アセンブリのカムがそれぞれ解錠位置、施錠位置、及び本締位置にある、ロック可能なラッチアセンブリを示す。
【図１２−１４】図１２、１３、１４は、錠アセンブリのカムがそれぞれ解錠位置、施錠位置、及び本締位置にある、連通状態の錠アセンブリ‐ラッチアセンブリ‐ラッチ機構を示す。
【図１５−１７】図１５、１６、１７は、錠アセンブリのカムがそれぞれ解錠位置、施錠位置、及び本締位置にある、ロック可能なマルチラッチアセンブリを示す。
【発明を実施するための形態】
【００２４】
図１は摺動式ドア９０のある例示的実施形態を示し、これは、枠９１、固定ガラスパネル９３、及び摺動式ガラスパネル９２を含む。摺動式ガラスパネル９２は、左側の閉鎖位置から右側の開放位置へと摺動する。閉鎖位置では、摺動式ガラスパネル９２の戸先框９２２は枠９１のわき柱９１２に当接し、錠を係合できる。摺動式ガラスパネル９２の戸尻框９２１と固定ガラスパネルの框とも相互に係合して、密閉状態の閉鎖を提供する。
【００２５】
固定されたハンドル９２５が摺動式ガラスパネル９２の内側に取り付けられ、これによってユーザは、ドアを摺動させて開閉できる。摺動式ガラスパネル９２は、下側レール内のトラック上を走行する又は上側レールから懸架されるホイール又はローラ上に支持されてその上を摺動でき、これによってユーザは最小限の力で摺動式ガラスパネル９２を摺動させることができる。開放位置では、摺動式ガラスパネル９２の戸尻框９２１は、枠９１上の停止部材又は当接部材９１３に当接して、摺動式ガラスパネル９２が枠９１に当たるのを防止する。
【００２６】
錠は、わき柱９１２にボルトで係留された受座９１５、受座９１５に係合する（戸先框９２２内に設置された）ほぞ穴ラッチ９２３、並びにラッチ９２３を作動させる彫込錠シリンダ及び／又は掛け金９２４を含む。ラッチ９２３は２つの突起を含んでよく、これらは反対方向に回転して受座９１５のアパーチャ９１６内に着座することにより、摺動式ガラスパネル９２の水平運動を防止し（即ちドアを施錠し）、また摺動式ガラスパネル９２の垂直運動を防止する（即ち持ち上げ防止機能を提供する）。ユーザはドアの内側から掛け金９２４を回転させて、ラッチを施錠位置又は解錠位置から操作できる。ラッチは、わき柱９１２に対して係合しない限りラッチ９２３が施錠されないようにする、偶発的施錠防止（ａｎｔｉ‐ｓｌａｍ）機構を含んでよい。
【００２７】
シリンダ錠９２６は二重選択構成として構成されていてよい。これにより、適合する鍵が挿入される３つの位置を実現できる。第１の解錠位置は掛け金９２４の解錠位置に対応し、ここでは突起が係合していない。第２の施錠位置では、掛け金９２４は、突起を施錠位置と解錠位置との間で移動させるために依然として操作可能である。第３の本締位置では、突起は受座９１５と係合し、掛け金９２４は無効化されて所定の位置にロックされ、掛け金９２４を用いて突起を施錠位置と解錠位置との間で移動させることはできない。錠は、ドアの内側及び外側にシリンダを含んでよい。
【００２８】
これより上記二重選択構成について、ラッチアセンブリ２０と並んで設置された錠アセンブリ１０を示す図２を参照して、更に詳細に説明する。
【００２９】
錠アセンブリ１０は、シリンダ錠１２、フォロワ１３、及びロックアーム１４を含む。
【００３０】
シリンダ錠１２は、軸の周りで回転可能な錠シリンダ１２１と、鍵穴１２２に好適な鍵を挿入したときに同一の軸の周りで回転可能なカム１２３とを含む。カム１２３は、錠シリンダ１２１とは別個に形成され、好適な締結具で錠シリンダ１２１に接続されていても、又は錠シリンダ１２１と一体として形成されていてもよい。カム１２３は、解錠位置、施錠位置、及び本締位置の間で回転する。
【００３１】
フォロワ１３は、直線軸に沿って、カム１２３を収容するように移動する。フォロワ１３の運動はカム１２３の運動に対応する。カム１２３が解錠位置にあるとき、フォロワ１３は第１の位置にあり、カム１２３が施錠位置にあるとき、フォロワ１３は第２の位置にある。カム１２３が本締位置にあるとき、カム１２３はもはやフォロワ１３内になく、フォロワ１３は第２の位置へとロックされる。
【００３２】
ロックアーム１４は本締位置及び自由位置を有し、本締位置に向かって付勢される。カム１２３が解錠位置又は施錠位置にあるとき、カム１２３はロックアーム１４の表面に当接し、これによってロックアームは自由位置に保持される。カム１２３が本締位置にあるとき、カム１２３はロックアーム１４に接触することなく回転し、これによってロックアーム１４は本締位置へと移動する。ロックアーム１４が本締位置にあるとき、ロックアーム１４はフォロワ１３を第２の位置にロックする。
【００３３】
錠アセンブリ１０は、摺動式ドアの戸先框のほぞ穴に設置される。場合によっては、これは、錠本体１１が比較的平坦なプロファイルであり、摺動式ドアの深さより小さな深さを有することを意味し得る。
【００３４】
ラッチアセンブリ２０は、掛け金２１と、アクチュエータハブ２２と、１対の反対方向に回転可能な突起２４と連通した１対のアクチュエータアーム２３の形態のラッチ機構とを含む。アクチュエータハブ２２及びアクチュエータアーム２３はラッチ本体２５内に位置する。ラッチアセンブリ２０は、突起２４がラッチ本体２５から突出するように伸長している係留モードと、突起２４が引き込まれておりラッチ本体２５から突出しない係留解除モードとを有する。
【００３５】
掛け金は、正方形のプロファイルを有するスピンドル２１２と連通したハンドル２１１を含む。スピンドル２１２はアクチュエータハブ２２のアパーチャに挿入され、従ってスピンドル２１２の回転は、アクチュエータハブ２２の同等の回転を引き起こす。ユーザがハンドル２１１を押して又は引いてハンドル２１１の回転を発生させると、スピンドル２１２は回転し、これによってアクチュエータハブ２２が対応して回転する。
【００３６】
アクチュエータハブ２２は、各アクチュエータアーム２３の歯ざおと噛合するピニオンを有する。アクチュエータハブ２２が回転すると、アクチュエータアーム２３は直線状に移動する。
【００３７】
各突起２４は、ピン２６によってラッチ本体２５に接続され、このピン２６は、突起２４の回転を可能とする突起２４用の枢動点として機能する。各突起は、各アクチュエータアーム２３と相互作用する切り欠き部２４１を備える。
【００３８】
各アクチュエータアーム２３は、スロット２３１と、スロット２３１の各側のノブ２３２とを有する。ノブ２３２は、各突起２４の切り欠き部２４１と係合する。係留解除モードでは、ノブ２３２は切り欠き部２４１の外側に着座して、突起２４をラッチ本体２５内に保持する役割を果たす。ラッチアセンブリが係留解除モードから係留モードに移動すると、ノブ２３２はアクチュエータアーム２３に呼応して移動し、切り欠き部２４１に入って切り欠き部２４１の一端を押す。これにより突起２４はピン２６の周りで回転し、これにより突起２４は、スロット２３１を通過してラッチ本体２５から突出する。ラッチアセンブリ２０が係留モードから係留解除モードに移動すると、ノブ２３２はアクチュエータアーム２３に呼応して移動することにより、ノブ２３２は各突起２４の切り欠き部２４１の他端を押す。これにより突起２４はピン２６の周りで回転し、ラッチ本体２５内に引き込まれる。ラッチアセンブリ２０が係留モードであるとき、各アクチュエータアーム２３は、ノブ２３２が依然として切り欠き部２４１と係合しているものの、切り欠き部２４１の形状によって突起２４がピン２６の周りで回転して錠本体２５の外へと突出したり中へと引き込まれたりするように、位置決めされる。係留モードにあるときは、ノブ２３２と切り欠き部２４１との係合によって突起２４が所定の位置にロックされ、突起２４の突出した端部に負荷を印加しても（即ち突起が錠本体から突き出ているときに突起を錠本体内に戻そうとしても）、突起２４はラッチ本体２５内に引き戻されない（突起はアクチュエータ２３の運動によってのみ、錠本体内に引き戻すことができる）。ノブ２３２と切り欠き部２４１との間の相互作用により、突起２４の端部がスロット２３１を通過してラッチ本体２５から突出するように、突起２４がピン２６の周りで回転する。
【００３９】
掛け金２１の運動は、ラッチアセンブリを、突起２４が伸長した係留モードと突起２４が引き込まれた係留解除モードとの間で移動させる。
【００４０】
駆動プレート３０は、一端がアクチュエータアーム２３に、他端がフォロワ１３に接続される。駆動プレート３０は、アクチュエータアーム２３のうちの一方の（従ってアクチュエータハブ２２、他方のアクチュエータアーム２３、及び掛け金２１の）運動を、フォロワ１３の（従ってカム１２３の）運動に変換する。駆動プレートはアパーチャ３１を備え、ねじの頭がこれを通過できる。これにより駆動プレート３０は、ねじと干渉することなく直線運動で移動できる。いくつかの実施形態では、駆動プレート３０を省略してよく、アクチュエータアーム２３のうちの一方はフォロワ１３を組み込むことができ、従ってカム１２３及びロックアーム１４と直接相互作用できる。このような実施形態では、駆動プレート３０に関する言及は、対応するアクチュエータアーム２３に関する言及として解釈されるものとする。
【００４１】
図２では、カム１２３は解錠位置で示されている。これは、フォロワ１３が第１の位置にあり、ロックアーム１４が自由位置にある状態に対応している。フォロワ１３が第１の位置にあるとき、駆動プレート３０は、ラッチアセンブリが係留解除モードとなるように位置決めされる。即ち、フォロワ１３が第１の位置にあるため、駆動プレート３０は、駆動プレート３０に接続されたアクチュエータアーム２３が係留解除モードに対応する位置となるように位置決めされる。更に、アクチュエータアーム２３とアクチュエータハブ２２との間における歯ざお‐ピニオン間の連通、各アクチュエータアーム２３のノブ２３２と各突起２４の切り欠き部２４１との間の係合、並びにアクチュエータハブ２２とスピンドル２１２との間の噛合により、他方のアクチュエータアーム２３、１対の突起２４、アクチュエータハブ２２、及び掛け金２１も同様に、係留解除モードに対応する位置となる。
【００４２】
図３は、図２の錠アセンブリ１０及びラッチアセンブリ２０を示し、ここではカム１２３が施錠位置にある。これは、フォロワ１３が第２の位置にあり、ロックアーム１４が自由位置にある状態に対応している。フォロワ１３が第２の位置にあるとき、駆動プレート３０は、ラッチアセンブリが係留モードとなるように位置決めされる。即ち、フォロワ１３が第２の位置にあるため、駆動プレート３０は、駆動プレート３０に接続されたアクチュエータアーム２３が係留モードに対応する位置となるように位置決めされる。アクチュエータアーム２３とアクチュエータハブ２２との間における歯ざお‐ピニオン間の連通、並びにアクチュエータハブ２２とスピンドル２１２との間の噛合により、他方のアクチュエータアーム２３、アクチュエータハブ２２、及び掛け金２１も同様に、係留モードに対応する位置となる。
【００４３】
係留モードと係留解除モードとの間の移動は、ユーザが掛け金２１を作動させることによって発生させることができる。これにより、アクチュエータハブ２２、アクチュエータアーム２３、駆動プレート３０、フォロワ１３、及びカム１２３の対応する移動が引き起こされる。更に、係留モードと係留解除モードとの間の移動は、ユーザが、鍵穴１２２に挿入された好適な鍵を回転させることによって発生させることができる。これにより、カム１２３、フォロワ１３、駆動プレート３０、アクチュエータアーム２３、アクチュエータハブ２２、及び掛け金２１の対応する移動が引き起こされる。このようにして、シリンダ錠１２及び掛け金２１それぞれを用いて、ラッチアセンブリを係留モードと係留解除モードとの間で移動させることができる。
【００４４】
図４は、図２の錠アセンブリ１０及びラッチアセンブリ２０を示し、ここではカム１２３は本締位置にある。これは、フォロワ１３を第２の位置にロックするために、ロックアーム１４が本締位置にある状態に対応している。カム１２３が本締位置にあるとき、ラッチアセンブリは図３に示したものと同様に係留モードとなる。
【００４５】
使用時、ロックアーム１４の突出部１４４がフォロワ１３の肩部１３５と整列するように位置決めされているため、掛け金２１を移動させようとする試行は有意な抵抗を受ける。即ち、掛け金２１を移動させようとする試行は、アクチュエータハブ２２、アクチュエータアーム２３、及び駆動プレート３０を介して、フォロワ１３を移動させようとする試行につながり、これはフォロワ１３の肩部１３５をロックアーム１４の突出部１４４に当接させる。このようにして、カム１２３が本締位置にあるとき、ラッチ機構は係留モードへとロックされる。
【００４６】
図５は、図２〜４に示されているような錠アセンブリ１０を更に詳細に示す。図示されている錠アセンブリ１０は、錠本体１１、シリンダ錠１２、フォロワ１３、及びロックアーム１４を含む。
【００４７】
シリンダ錠１２は、鍵穴１２２に好適な鍵を挿入したときに軸の周りで回転可能な、錠シリンダ１２１を含む。カム１２３は同一の軸の周りで回転する。カム１２３は、錠シリンダ１２１とは別個に形成され、好適な締結具で錠シリンダ１２１に接続されていても、又は錠シリンダ１２１と一体として形成されていてもよい。シリンダ錠１２を所定の位置に締結できるよう、ねじ穴１２４が設けられる。
【００４８】
図示されている実施形態では、シリンダ錠１２は、摺動式ドアの片側からアクセスできる単一のバレル、又は摺動式ドアの各側からアクセスできる１対の対向するバレルを含む、ユーロ規格シリンダ錠であってよい。鍵穴は各バレルの端部に設けられ、これによって鍵を用いて錠シリンダをドアの両側から回転させることができる。シリンダ錠１２はカム１２３内に「フロート（ｆｌｏａｔ）」を有してよく、これにより、カム１２３は時には錠シリンダ１２１に対して独立して移動できる。これにより、カム１２３は、錠シリンダ１２１が移動しないままで、複数の位置の間（例えば解錠位置と施錠位置との間）で移動できる。しかしながら、代替実施形態では、カム１２３及び錠シリンダ１２１を互いに対して固定でき、従って一方の運動が他方の同等の運動を引き起こす。場合によっては、シリンダ錠は、カムタイプの、又はカム１２３の代わりにテールバーを使用できるテールバータイプの、ピンシリンダであってよい。
【００４９】
カム１２３は、解錠位置、施錠位置、及び本締位置の間で回転する。図示されている実施形態では、解錠位置及び施錠位置は、本締位置からそれぞれ約１２０°及び約６０°の回転に対応する。
【００５０】
錠本体１１は、孔１１３、１１４を通るねじ又はリベットによって一体に締結された前側本体部分１１１及び後側本体部分１１２を含む。後側本体部分１１２の一端は、錠本体１１をラッチ本体等の別の構成部品と噛合させることができるよう、全体として凹状の半円筒部分１１２２を有する。後側本体部分１１２の他端は、全体として凸状の半円筒部分１１２３を有する。これは、スロット状プロファイルのほぞ穴を可能にするため、錠アセンブリ１０の設置を補助できる。
【００５１】
ロック用アパーチャ１１５が前側本体部分１１１及び後側本体部分１１２に形成され、これにより、シリンダ錠１２の一部分を錠本体１１内に着座させることができる。後側本体部分１１２は、本体１１内へと伸長してロックアーム１４に接続されるピン１１２１を有する。ばね１５を受承するためのばね用チャネル１１６が錠本体１１内に形成され、これは、ばね１５の一端を圧迫できる壁１１６１と、ばねを概ね所定の位置に保持するための一連の架台１１６２とを含む。前側本体部分１１１と後側本体部分１１２とを接続すると、ねじを受承するためのねじ経路１１７が錠本体１１に形成される。シリンダ錠１２を設置する際、ねじ経路１１７がねじ孔１２４と整列することによって、シリンダ錠１２を錠本体１１に締結できる。更に、フォロワ１３のために、フォロワ用アパーチャ１１８が前側本体部分１１１及び後側本体部分１１２によって形成される。
【００５２】
錠アセンブリ１０は、カム１２３を収容する凹部１３２を画定する１対の指状部１３１を有するフォロワ１３の形態の、連結部材を有する。凹部１３２は、全体として丸みを帯びた長方形状の断面を有してよい。凹部は、カム１２３を様々な角度において収容するため、及びカム１２３が第２の施錠位置へと移動する際にカム１２３の係合を解除するために、カム１２３の幅の約１．５倍〜約２．０倍の幅（第１の位置と第２の位置との間のフォロワ１３の移動の軸に沿った寸法）を有することができる。更に凹部は、カム１２３の高さの約１．５倍〜約２倍の深さ（幅の軸に対して垂直な軸に沿った寸法）を有してよい。
【００５３】
フォロワ１３は、前側本体部分１１１の内面上の突出部に係合する第１の溝１３３を有する。これにより、フォロワ１３の運動は、フォロワ用アパーチャ１１８の長さに沿った直線軸内に維持される。また、フォロワ１３の面１３７がアパーチャ１１８の周囲の縁部に当接して、フォロワ１３を軸に沿って更に整列させる。この直線軸は、カム１２３の回転軸を横断する。フォロワ用アパーチャ１１８の各端部には当接部材１１９が存在し、従ってフォロワ１３は一般に、第１の位置又は第２の位置を超えて進むことができない。
【００５４】
フォロワ１３は、第２の溝１３４と、上記溝の片側の、ロックアーム１４と相互作用するための肩部１３５と、フォロワ１３をラッチアセンブリ等の別のアセンブリと相互作用させるための突出部１３６とを有する。
【００５５】
錠アセンブリ１０はロックアーム１４を含む。ロックアーム１４は、ピン１１２１と噛合するように設計されたアパーチャ１４１を有し、これによってロックアーム１４に枢動点を提供する。ロックアーム１４は本締位置及び自由位置を有し、これらは枢動点の周りでの異なる回転角度に対応する。ばね１５はロックアームのピン１４２に接続される。ばね１５は張力下にあり、壁１１６１を押圧して、ロックアームを、ピン１４２の周りで本締位置へと回転するように付勢する。
【００５６】
ロックアーム１４はカムガイド１４３を有し、カム１２３は、カム１２３が回転するに従って、これに沿って摺動できる。カムガイド１４３は、施錠位置と解錠位置との間のカム１２３の位置に対応する弓状部分１４３１と、カム１２３が解錠位置にあるときのカム１２３の位置に対応する平坦部分１４３２と、カム１２３を解錠位置を超えて更に時計回りに回転させようとした場合にカム１２３が当接する保護部材（ｂｏｏｔ）１４３３とを有する。このようにして、いくつかの実施形態では、ロックアーム１４はカム１２３の一方向への過剰な回転を防止できる。
【００５７】
ロックアーム１４はまた、概ねＬ字型の突出部１４４を含み、これは第１の部分１４４１及び第２の部分１４４２を有する。ロックアーム１４が自由位置にあるとき、ロックアーム１４は、第１の部分１４４１及び第２の部分１４４２のうちの一方又は両方が第２の溝１３４内に着座するように整列される。更に、第１の部分１４４１は、第２の溝１３４の一方の面に当接することで、ロックアーム１４がカム１２３から離れるように移動するのを防止できる。これにより、カム１２３は回転中に多少の抵抗を有することができる。ロックアーム１４が本締位置にあり、従ってフォロワ１３が第２の位置にあるとき、フォロワ１３の肩部１３５は突出部１４４の第２の部分１４４２に当接してよい。これにより、第１の位置に向かうフォロワ１３の移動を防止できる。
【００５８】
突出部１４４を収容するために、第２の溝１３４は、第２の部分１４４２と少なくとも同等の幅、好ましくは少なくとも５ｍｍ大きい幅を有してよく、これにより、ロックアーム１４が自由位置にあるときに、突出部１４４は第２の溝１３４に沿って阻害されることなく移動できる。
【００５９】
錠アセンブリ１０は、摺動式ドアの戸先框のほぞ穴に設置される。これは、錠本体１１が比較的平坦なプロファイルを有し、摺動式ドアの深さより小さな深さを有することを意味し得る。
【００６０】
図６は、カム１２３が解錠位置にあり、フォロワ１３が第１の位置にあり、ロックアーム１４が自由位置にあるときの、錠アセンブリ１０を示す。シリンダ錠１２のカム１２３は、ロックアーム１４のカムガイド１４３と係合する。これはばね１５の付勢に抵抗し、従ってロックアーム１４は自由位置のままとなる。ロックアーム１４が自由位置にあるため、ロックアーム１４の突出部１４４はフォロワ１３の第２の溝１３４と整列し、これによりフォロワ１３は、ロックアーム１４に干渉されることなく、第１の位置と第２の位置との間で自由に移動できる。
【００６１】
図７は、カム１２３が施錠位置にあるときの錠アセンブリ１０を示す。解錠位置から施錠位置へのカム１２３の移動は、ユーザが鍵穴１２２内の好適な鍵を回転させて、錠シリンダ１２１に反時計回り方向の回転力を印加することによって発生させることができる。この場合、錠シリンダ１２１の回転は結果として、カム１２３の回転をもたらす。指状部１３１内のカム１２３の位置により、フォロワ１３は第２の位置へと付勢される。あるいは、解錠位置から施錠位置への移動は、フォロワ１３に印加される力によって発生させることができる。例えばこれは、フォロワ１３の突出部１３６に接続された駆動プレートを介してフォロワ１３と連通している掛け金をユーザが作動させるのに応答して、発生し得る。この場合、フォロワ１３の直線運動によって、指状部１３１はカム１２３を、施錠位置へと回転するように付勢する。
【００６２】
いずれの場合においても、カム１２３はロックアーム１４のカムガイド１４３に沿って摺動する。従ってカム１２３は、ロックアーム１４に対するばね１５の付勢に抵抗し、従ってロックアーム１４は自由位置のままとなる。ロックアーム１４が自由位置にあるため、ロックアーム１４の突出部１４４はフォロワ１３の第２の溝１３４と整列し、これによりフォロワ１３は、ロックアーム１４に干渉されることなく、第１の位置と第２の位置との間で自由に移動できる。
【００６３】
施錠位置から解錠位置への移動も同様の方法で発生させることができる。即ちこれは、ユーザが鍵穴１２２内の好適な鍵を回転させて、錠シリンダ１２１に時計回り方向の回転力を印加することによって発生させることができる。これは結果として、カム１２３の回転を発生させる。カム１２３は指状部１３１と係合して、カムの回転運動を、第２の位置から第１の位置へのフォロワ１３の直線運動に変換する。あるいはこの移動は、フォロワ１３に直線状の力を印加することによって発生させることができる。指状部１３１はカム１２３と係合して、施錠位置から解錠位置へと回転移動させる。
【００６４】
図８は、カム１２３が本締位置にあるときの錠アセンブリ１０を示す。施錠位置から本締位置への移動は、ユーザが鍵穴１２２内の好適な鍵を回転させて、錠シリンダ１２１に反時計回り方向の回転力を印加することによって発生させることができる。錠シリンダ１２１の回転は結果として、カム１２３の回転をもたらし、これによりカム１２３はシリンダ錠１２から突出しなくなる。その結果、カム１２３はフォロワ１３の指状部１３１内に着座せず、ロックアーム１４のカムガイド１４３と接触しなくなる。これにより、ばね１５の付勢はカム１２３による抵抗を受ける。従ってロックアーム１４はピン１１２１の周りで回転して、本締位置へと移動する。
【００６５】
ロックアーム１４が本締位置にあるとき、ロックアームの突出部１４４は、フォロワ１３の肩部１３５と整列される。従ってフォロワ１３は第２の位置にロックされ、フォロワ１３が第１の位置へと移動しようとすることによって、フォロワ１３の肩部１３５はロックアーム１４の突出部１４４に当接し、従って第１の位置へのフォロワ１３の移動に対してかなりの抵抗が発生する。
【００６６】
本締位置から施錠位置への錠シリンダ１２１の移動は、ユーザが鍵穴１２２内の好適な鍵を回転させて、錠シリンダ１２１に時計回り方向の回転力を印加することによって発生させることができる。その結果、カム１２３の回転が発生し、カム１２３はロックアーム１４のカムガイド１４３に接触する。これによってロックアーム１４は自由位置へと動かされ、ロックアームの突出部１４４はフォロワの第２の溝１３４と整列する。更に、カム１２３の回転により、カム１２３は、フォロワ１３の指状部１３１によって形成された凹部１３２に再び入り、カム１２３とフォロワ１３とを連通させる。
【００６７】
図９は、ロック可能なラッチアセンブリ４０のある実施形態を示し、これは、図６〜８に示されているような錠アセンブリ１０及びラッチアセンブリ２０を含む。錠アセンブリ１０は、錠本体１１が設置された状態で示されており、ラッチアセンブリは、ラッチ本体２５が設置された状態で示されている。シリンダ錠１２及び掛け金２１はそれぞれ、錠本体１１及びラッチ本体２５が設置されているときにアクセス可能なままである。
【００６８】
錠本体１１は、ラッチ本体２５と噛合するように成形される。例えば錠本体１１の上部の形状は、ラッチ本体２５の概ね凹状の底部に着座するよう、概ね凸状である。
【００６９】
前端プレート４１は、ねじ４１１によって、錠アセンブリ１０及びラッチアセンブリ２０の片側に接続される。更に前端プレートはアパーチャ４１２を有し、これは、ラッチアセンブリが係留モードであるときに、突起２４がアパーチャ４１２を通って突出できるように、スロット２３１と整列されている。前端プレート４１により、前端プレート４１が設置されているときでも駆動プレート３０の移動が可能となる。例えば前端プレート７１は、駆動プレート３０を収容するための凹部を含んでよい。
【００７０】
ロック可能なラッチアセンブリ４０は、摺動式ドアの戸先框のほぞ穴内に、錠本体１１及びラッチ本体２５が全体としてほぞ穴内に位置決めされるように設置される。この目的のために、錠本体１１、ラッチ本体２５、及び前端プレート４１の深さのプロファイルは比較的スリムであり、摺動式ドアの深さより浅い。前端プレートにはねじ孔４１３が設けられ、これを通してねじを用いて、ロック可能なラッチアセンブリ４０を摺動式ドアに締結できる。更に、ロック用アパーチャ１１５及びアクチュエータハブ２２は、摺動式ドアの対応するアパーチャと整列するように位置決めされる。これにより、シリンダ錠１２及び掛け金２１は、摺動式ドアの一方の側部からアクセス可能となる。
【００７１】
図１０及び１１は、ロック可能なラッチアセンブリ４０を示し、ここではラッチアセンブリ２０は係留モードであり、カム１２３はそれぞれ施錠位置及び本締位置にある。この目的のために、突起２４は、伸長して、前端プレート４１のアパーチャ４１２を通って突出した状態で示されている。使用時、伸長した突起はドア枠のわき柱の受座に係合して、ラッチアセンブリが係留解除モードへと移動するまで、摺動式ドアを所定の位置に保持できる。
【００７２】
図１２は、図６〜１１に示されているような錠アセンブリ１０及びラッチアセンブリ２０を、二次ラッチ構造５０と連通した状態で示す。
【００７３】
二次ラッチ機構５０は、アクチュエータアーム５１及び突起５２を含む。二次ラッチ機構５０は、突起５２がラッチ本体５３から突出するように伸長した係留モードと、突起５２が引き込まれてラッチ本体５３から突出しない係留解除モードとを有する。
【００７４】
突起５２はピン５４によってラッチ本体５３に接続され、このピン５４は、突起５２の回転を可能とする突起５２用の枢動点として機能する。突起は、アクチュエータアーム５１と相互作用する切り欠き部５２１を備える。
【００７５】
アクチュエータアーム５１は、スロット５１１と、スロット５１１の各側のノブ５１２とを有する。ノブ５１２は、突起５２の切り欠き部５２１と係合する。係留解除モードでは、ノブ５１２は切り欠き部５２１に係合して、突起５２をラッチ本体５０３内に保持する役割を果たす。二次ラッチ機構が係留解除モードから係留モードに移動すると、ノブ５１２はアクチュエータアーム５１に呼応して移動し、切り欠き部５２１内で移動して切り欠き部５２１の一端を押す。これにより突起５２はピン５４の周りで回転し、これにより突起５２は、スロット５１１を通過してラッチ本体５０３から突出する。
【００７６】
駆動バー６０は、ラッチアセンブリのアクチュエータアーム２３、錠機構のフォロワ１３、及び二次ラッチ機構のアクチュエータアーム５１に接続される。駆動バー６０は、ラッチアセンブリのアクチュエータアーム２３、錠アセンブリ１０のフォロワ１３、及び二次ラッチ機構５０のアクチュエータアーム５１の運動を変換する。これにより、ラッチアセンブリ２０が係留モード又は係留解除モードであるとき、二次ラッチ機構５０は対応する係留モード又は係留解除モードとなる。
【００７７】
ラッチアセンブリ２０の他のアクチュエータアーム２３を別の二次ラッチ機構５０に接続するために、更なる駆動バー６１を設けてよい。これにより、同時に係留モード又は係留解除モードとなる複数の二次ラッチ機構を設けることができる。
【００７８】
場合によっては、駆動バー６０、６１は、錠アセンブリ１０、ラッチアセンブリ２０、及び二次ラッチ機構５０の異なる面に沿って移動してよい。例えばこれらは、背面（即ちほぞ穴内の最も遠い端部）に沿って移動してよい。更に、駆動バー６０、６１はチューブ等であってよい。
【００７９】
図１２では、錠アセンブリ１０のカム１２３は解錠位置にある。駆動バー６０を部分的な要因として、これは、ラッチアセンブリ２０が係留解除モードであり、かつ二次ラッチ機構５０が係留解除モードである状態に対応する。
【００８０】
図１３は、カム１２３が施錠位置にある状態の図１２の構成を示す。駆動バー６０を部分的な要因として、これは、ラッチアセンブリ２０が、突起２４が伸長している係留モードであり、かつ二次ラッチ機構５０が、突起５２が伸長している係留モードである状態に対応する。
【００８１】
図１４は、カム１２３が本締位置にある状態の図１２の構成を示す。これは、ラッチアセンブリ２０が、突起２４が伸長している係留モードであり、かつ二次ラッチ機構５０が、突起５２が伸長している係留モードである状態に対応する。更に、ロックアームの突出部１４４がフォロワ１３の肩部１３５と整列するように位置決めされているため、フォロワ１３は所定の位置にロックされる。その結果、ラッチアセンブリのアクチュエータアーム２３及び二次ラッチ機構のアクチュエータアーム５１は係留モードへとロックされる。
【００８２】
図１５は、ロック可能なマルチラッチアセンブリ７０のある実施形態を示し、これは、図１２〜１４に示されているもののような錠アセンブリ１０、ラッチアセンブリ２０、二次ラッチ機構５０、及び駆動バー６０を含む。
【００８３】
前端プレート７１は、ねじ７１１によって、錠アセンブリ１０、ラッチアセンブリ２０、及び二次ラッチ機構５０の一方の側部に接続される。更に前端プレートは、スロット２３１と整列したアパーチャ７１２を含み、これにより、ラッチアセンブリが係留モードであるときに突起２４がアパーチャ７１２を通って突出できる。
【００８４】
前端プレート７１により、前端プレート７１が設置されているときでも駆動バー６０の移動が可能となる。例えば前端プレート７１は、駆動バー６０を収容するための凹部を含んでよい。
【００８５】
ロック可能なマルチラッチアセンブリ７０は、摺動式ドアの戸先框の少なくとも１つのほぞ穴に設置される。例えば単一のほぞ穴を設けることができ、錠本体１１、ラッチアセンブリのラッチ本体２５、及び二次ラッチ機構のラッチ本体が全て、上記ほぞ穴内に位置決めされる。あるいは複数のほぞ穴を設けることもでき、第１のほぞ穴は錠本体１１及びラッチアセンブリのラッチ本体２５を収容してよく、第２のほぞ穴は、二次ラッチ機構のラッチ本体を収容できる。いずれの場合においても、錠本体１１、ラッチ本体２５、二次ラッチ機構のラッチ本体、及び前端プレート７１の深さのプロファイルは比較的スリムであり、摺動式ドアの深さより浅い。前端プレート７１にはねじ孔７１３が設けられ、これを通してねじを用いて、ロック可能なマルチラッチアセンブリ７０を摺動式ドアに締結できる。更に、ロック用アパーチャ１１５及びアクチュエータハブ２２は、摺動式ドアの対応するアパーチャと整列するように位置決めされる。これにより、シリンダ錠１２及び掛け金２１は、摺動式ドアの一方の側部からアクセス可能となる。
【００８６】
図１６は、カム１２３が施錠位置にある状態の図１５の構成を示す。駆動バー６０を部分的な要因として、これは、ラッチアセンブリ２０が、突起２４が伸長している係留モードであり、かつ二次ラッチ機構５０が、突起５２が伸長している係留モードである状態に対応する。
【００８７】
図１７は、カム１２３が本締位置にある状態の図１５の構成を示す。これは、ラッチアセンブリ２０が、突起２４が伸長している係留モードであり、かつ二次ラッチ機構５０が、突起５２が伸長している係留モードである状態に対応する。更に、ロックアームの突出部１４４がフォロワ１３の肩部１３５と整列するように位置決めされているため、フォロワ１３は所定の位置にロックされる。その結果、ラッチアセンブリのアクチュエータアーム２３及び二次ラッチ機構のアクチュエータアーム５１は係留モードへとロックされる。
【００８８】
用語「…を備える（ｃｏｍｐｒｉｓｅ）」及びその変形は包括的な意味で使用されており、即ち、当該文脈においてこの用語の排他的解釈が要求されている場合を除いて、言及されている対象物を含むものの、他のものを排除しないものとして使用されている。
【００８９】
上述の実施形態は単なる例示であり、本発明の精神及び範囲から逸脱することなく、修正及び変更が可能であることは明らかであろう。
【手続補正２】
【補正対象書類名】特許請求の範囲
【補正対象項目名】全文
【補正方法】変更
【補正の内容】
【特許請求の範囲】
【請求項１】
錠アセンブリであって、
前記錠アセンブリは：
錠本体；
前記錠本体内で移動可能であり、解錠位置、施錠位置、本締位置の間で構成可能な部分を備える、回転式の錠シリンダ；並びに
第１の位置及び第２の位置を有する連結部材であって、前記部分が前記解錠位置にあるとき、前記連結部材は前記第１の位置にあり、前記部分が前記施錠位置にあるとき、前記連結部材は前記第２の位置にあり、前記部分が前記本締位置にあるとき、前記連結部材は前記第２の位置でロックされる、連結部材
を備え、
前記錠アセンブリは、摺動式ドアのほぞ穴に設置されるように構成され、
前記摺動式ドアは、前記錠本体とは別個のラッチ本体内にラッチ機構を有し、これにより、前記連結部材は駆動プレート、駆動バー又はアクチュエータアームを介して前記ラッチ機構と連通し、前記駆動プレート、前記駆動バー又は前記アクチュエータアームは、前記連結部材に接続されるよう構成され、かつ前記錠本体の外側に位置決めされる、錠アセンブリ。
【請求項２】
前記部分は、カム又はテールバーを備える、請求項１に記載の錠アセンブリ。
【請求項３】
前記連結部材は、前記部分と相互作用するよう構成されたフォロワを備える、請求項２に記載の錠アセンブリ。
【請求項４】
本締位置及び自由位置を有するロックアームを更に備え、
前記部分が前記解錠位置又は前記施錠位置にあるとき、前記連結部材はそれぞれ前記第１の位置又は前記第２の位置にあり、かつ前記ロックアームは前記自由位置にあり、
前記部分が前記本締位置にあるとき、前記ロックアームは前記本締位置にあり、これによって前記連結部材を前記第２の位置にロックする、請求項３に記載の錠アセンブリ。
【請求項５】
前記ロックアームは、前記本締位置に向かって付勢され、
前記部分が前記解錠位置又は前記施錠位置にあるとき、前記部分は前記ロックアームを前記自由位置に保持する、請求項４に記載の錠アセンブリ。
【請求項６】
前記ロックアームは突出部を備え、前記フォロワは溝を備え、
前記ロックアームが前記本締位置にあるとき、前記突出部は前記連結部材に係合して、前記連結部材を前記第２の位置でロックし、
前記ロックアームが前記自由位置にあるとき、前記突出部は前記溝と整列して、前記連結部材を、前記第１の位置と前記第２の位置との間で移動できるようにする、請求項５に記載の錠アセンブリ。
【請求項７】
前記フォロワは１対の指状部を備え、前記部分は、一方又は両方の前記指状部に作用して、前記連結部材を前記第１の位置と前記第２の位置との間で作動させる、請求項３〜６のいずれか１項に記載の錠アセンブリ。
【請求項８】
前記フォロワは、前記部分の回転軸を横断する軸に沿って、直線状に移動する、請求項３〜７のいずれか１項に記載の錠アセンブリ。
【請求項９】
前記錠シリンダの回転は、同一の軸の周りでの前記部分の回転に対応する、請求項２〜８のいずれか１項に記載の錠アセンブリ。
【請求項１０】
前記錠アセンブリを設置するとき、前記駆動プレート、駆動バー又はアクチュエータアームは、前記摺動式ドアの掛け金の運動を前記連結部材の運動に変換する、請求項１〜９のいずれか１項に記載の錠アセンブリ。
【請求項１１】
前記連結部材は、前記掛け金の運動によって、前記第１の位置と前記第２の位置との間で移動できる、請求項１０に記載の錠アセンブリ。
【請求項１２】
前記錠シリンダ及び前記部分はそれぞれ、ユーロ規格シリンダ錠の錠シリンダ及びカムである、請求項１〜１１のいずれか１項に記載の錠アセンブリ。
【請求項１３】
前記錠本体は、前記ラッチ本体と噛合するように構成される、請求項１〜１２のいずれか１項に記載の錠アセンブリ。
【請求項１４】
ロック可能なラッチアセンブリであって、
前記ロック可能なラッチアセンブリは：
請求項１〜１３のいずれか１項に記載の錠アセンブリ；及び
ラッチを備えるラッチ機構であって、前記ラッチ機構は、前記ラッチ機構のラッチを伸長させた係留モードと、前記ラッチ機構のラッチを引き込んだ係留解除モードとを有する、ラッチ機構
を備え、
前記錠アセンブリの前記部分が解錠位置にあるとき、前記ラッチ機構は前記係留解除モードであり、前記錠アセンブリの前記部分が施錠位置又は本締位置にあるとき、前記ラッチ機構は前記係留モードである、ロック可能なラッチアセンブリ。
【請求項１５】
前記ラッチ機構が前記摺動式ドアのわき柱に係合していないとき、前記ラッチ機構は前記係留解除モードにロックされる、請求項１４に記載のラッチアセンブリ。
【請求項１６】
駆動プレートを更に備え、
前記駆動プレートは、設置時に前記ラッチ本体の外側に位置決めされるよう構成される、請求項１４又は１５に記載のラッチアセンブリ。
【請求項１７】
前記駆動プレートは、設置時に前記ラッチ機構のアクチュエータアームに接続されるよう構成される、請求項１６に記載のラッチアセンブリ。
【請求項１８】
前記ラッチ機構は、前記アクチュエータアームを備える、請求項１４又は１５に記載のラッチアセンブリ。
【請求項１９】
ロック可能なマルチラッチアセンブリであって、
前記ロック可能なマルチラッチアセンブリは：
請求項１〜１３のいずれか１項に記載の錠アセンブリ；及び
前記錠アセンブリと連通する２つ以上のラッチ機構であって、各前記ラッチ機構は１つのラッチを備え、また前記ラッチ機構のラッチを伸長させた係留モードと、前記ラッチ機構のラッチを引き込んだ係留解除モードとを有する、ラッチ機構
を備え、
前記錠アセンブリの前記部分が解錠位置にあるとき、各前記ラッチ機構は前記係留解除モードであり、前記錠アセンブリの前記部分が施錠位置又は本締位置にあるとき、各前記ラッチ機構は前記係留モードである、ロック可能なマルチラッチアセンブリ。
【請求項２０】
前記錠アセンブリ及び各前記ラッチ機構が接続される前端プレートを更に備える、請求項１９に記載のマルチラッチアセンブリ。
【請求項２１】
駆動バーを更に備え、
前記駆動バーは、設置時に前記ラッチ機構の各アクチュエータアームに接続されるよう構成される、請求項１９又は２０に記載のマルチラッチアセンブリ。
【請求項２２】
１つ以上のほぞ穴を有し、
請求項１〜１３のいずれか１項に記載の錠アセンブリ、請求項１４〜１８のいずれか１項に記載のラッチアセンブリ、又は請求項１９〜２１のいずれか１項に記載のマルチラッチアセンブリが、前記ほぞ穴のうちの１つ以上に設置される、摺動式ドア。
【国際調査報告】
2021518501.tif 000020
2021518501.tif 000021
2021518501.tif 000022
2021518501.tif 000023
2021518501.tif 000024